(57)【特許請求の範囲】
【請求項１】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能とされたスロットマシンにおいて、
第１遊技状態において所定の移行条件が成立したときに、第２遊技状態へ移行させる第２遊技状態移行手段と、
前記第２遊技状態において特定表示結果が導出されたときに該第２遊技状態よりも遊技者にとって有利な有利遊技状態に移行させる有利遊技状態移行手段と、
前記有利遊技状態において不利表示結果が導出されたときに該有利遊技状態よりも遊技者にとって不利な不利遊技状態へ移行させる不利遊技状態移行手段と、
表示結果が導出される前に、表示結果の導出を許容するか否かを決定する事前決定手段と、
遊技者が表示結果を導出させるために操作する導出操作手段と、
前記表示結果を導出する制御を行う導出制御手段と、
前記第２遊技状態において前記事前決定手段の決定結果が前記特定表示結果の導出が許容される決定結果となった場合に、前記特定表示結果の導出を回避する前記導出操作手段の操作態様を特定可能に報知する第１の報知を行う第１の報知手段と、
前記有利遊技状態において前記事前決定手段の決定結果が前記不利表示結果の導出が許容される決定結果となった場合に、前記不利表示結果の導出を回避する前記導出操作手段の操作態様を特定可能に報知する第２の報知を行う第２の報知手段と、
前記第１の報知手段による有利度を決定する第１の有利度決定手段と、
前記第２の報知手段による有利度を決定する第２の有利度決定手段と、
を備え、
前記第２遊技状態において前記事前決定手段の決定結果が前記特定表示結果の導出が許容される決定結果となったときに、前記第１の報知手段により前記第１の報知が実行されないときには、前記特定表示結果の導出の回避が成功する確率が１００％未満であり、
前記第１の報知手段は、前記第２遊技状態において前記第１の有利度決定手段により決定された有利度に応じて前記第１の報知を行い、
前記第２の報知手段は、前記有利遊技状態において前記第２の有利度決定手段により決定された有利度に応じて前記第２の報知を行い、
前記第２の有利度決定手段は、前記第２遊技状態において前記事前決定手段の決定結果が特別決定結果となったときに前記第２の報知手段による有利度を決定するとともに、前記第２の有利度決定手段により決定される有利度は、前記第２遊技状態において該第２遊技状態が継続しているゲーム数が多いほど遊技者にとって有利となる割合が高い、スロットマシン。
【発明の詳細な説明】
【技術分野】
【０００１】
本発明は、各々が識別可能な複数種類の識別情報を変動表示可能な可変表示装置の表示結果に応じて所定の入賞が発生可能なスロットマシンに関する。
【背景技術】
【０００２】
スロットマシンは、一般に、外周部に識別情報としての複数種類の図柄が描かれた複数（通常は３つ）のリールを有する可変表示装置を備えており、まず遊技者のＢＥＴ操作により賭数を設定し、規定の賭数が設定された状態でスタート操作することによりリールの回転が開始し、各リールに対応して設けられた停止ボタンを操作することにより回転を停止する。そして、全てのリールの回転を停止したときに入賞ライン上に予め定められた入賞図柄の組合せ（例えば、７−７−７、以下図柄の組合せを役とも呼ぶ）が揃ったことによって入賞が発生する。すなわち遊技者の操作によってゲームが進行するようになっている。
【０００３】
これら入賞役には、遊技者にとって有利な特別遊技状態への移行を伴う特別役、メダルなどの遊技用価値の付与を伴う小役、遊技用価値を用いずにゲームを行うことが可能な再遊技の付与を伴う再遊技役などがある。これら入賞役は、スタート操作と同時に行われる役抽選に当選したことを条件に当選役の入賞が可能となるものが一般的である。
【０００４】
この種のスロットマシンでは、例えば、リプレイタイム（再遊技役の当選確率が高確率となる遊技状態）など、遊技者にとって有利な遊技状態において終了役が当選し、終了役が入賞することで当該有利な遊技状態を終了させるとともに、終了役が当選したことを報知することによって終了役が入賞することを回避可能としたものが提案されている（例えば、特許文献１参照）。
【先行技術文献】
【特許文献】
【０００５】
【特許文献１】特開２００６−１７５１２１号公報
【発明の概要】
【発明が解決しようとする課題】
【０００６】
特許文献１に記載のスロットマシンでは、ボーナス中に副遊技を実行し、その結果に応じて終了役が当選した旨を報知する報知回数を決定する構成であるが、副遊技が行われる契機、すなわち報知回数の決定が行われる契機は一定であり、報知回数の決定にあたり十分に興趣を高めることができるものではなかった。
【０００７】
本発明は、このような問題点に着目してなされたものであり、遊技者にとって有利な情報の報知を行う旨の決定に伴う興趣を高めることができるスロットマシンを提供することを目的とする。
【課題を解決するための手段】
【０００８】
上記課題を解決するために、本発明の請求項１に記載のスロットマシンは、
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能とされたスロットマシンにおいて、
第１遊技状態において所定の移行条件が成立したときに、第２遊技状態へ移行させる第２遊技状態移行手段と、
前記第２遊技状態において特定表示結果が導出されたときに該第２遊技状態よりも遊技者にとって有利な有利遊技状態に移行させる有利遊技状態移行手段と、
前記有利遊技状態において不利表示結果が導出されたときに該有利遊技状態よりも遊技者にとって不利な不利遊技状態へ移行させる不利遊技状態移行手段と、
表示結果が導出される前に、表示結果の導出を許容するか否かを決定する事前決定手段と、
遊技者が表示結果を導出させるために操作する導出操作手段と、
前記表示結果を導出する制御を行う導出制御手段と、
前記第２遊技状態において前記事前決定手段の決定結果が前記特定表示結果の導出が許容される決定結果となった場合に、前記特定表示結果の導出を回避する前記導出操作手段の操作態様を特定可能に報知する第１の報知を行う第１の報知手段と、
前記有利遊技状態において前記事前決定手段の決定結果が前記不利表示結果の導出が許容される決定結果となった場合に、前記不利表示結果の導出を回避する前記導出操作手段の操作態様を特定可能に報知する第２の報知を行う第２の報知手段と、
前記第１の報知手段による有利度を決定する第１の有利度決定手段と、
前記第２の報知手段による有利度を決定する第２の有利度決定手段と、
を備え、
前記第２遊技状態において前記事前決定手段の決定結果が前記特定表示結果の導出が許容される決定結果となったときに、前記第１の報知手段により前記第１の報知が実行されないときには、前記特定表示結果の導出の回避が成功する確率が１００％未満であり、
前記第１の報知手段は、前記第２遊技状態において前記第１の有利度決定手段により決定された有利度に応じて前記第１の報知を行い、
前記第２の報知手段は、前記有利遊技状態において前記第２の有利度決定手段により決定された有利度に応じて前記第２の報知を行い、
前記第２の有利度決定手段は、前記第２遊技状態において前記事前決定手段の決定結果が特別決定結果となったときに前記第２の報知手段による有利度を決定するとともに、前記第２の有利度決定手段により決定される有利度は、前記第２遊技状態において該第２遊技状態が継続しているゲーム数が多いほど遊技者にとって有利となる割合が高い
ことを特徴としている。
【０００９】
本発明の手段１のスロットマシンは、
各々が識別可能な複数種類の識別情報を変動表示可能な可変表示部（リール２Ｌ、２Ｃ、２Ｒ）を備え、前記可変表示部（リール２Ｌ、２Ｃ、２Ｒ）を変動表示した後、前記可変表示部（リール２Ｌ、２Ｃ、２Ｒ）の変動表示を停止することで表示結果を導出し、該表示結果に応じて入賞が発生可能とされたスロットマシン（スロットマシン１）において、
第１遊技状態（ＢＢ）において所定の移行条件（ＢＢの終了）が成立したときに、第２遊技状態（ＲＴ（１））へ移行させる第２遊技状態移行手段と、
前記第２遊技状態（ＲＴ（１））において特定表示結果（移行出目（１）（２））が導出されたときに該第２遊技状態（ＲＴ（１））よりも遊技者にとって有利な有利遊技状態（ＲＴ（０））に移行させる有利遊技状態移行手段と、
前記有利遊技状態（ＲＴ（０））において不利表示結果（リプレイ（３）〜（８）の入賞態様）が導出されたときに該有利遊技状態（ＲＴ（０））よりも遊技者にとって不利な不利遊技状態（ＲＴ（２））へ移行させる不利遊技状態移行手段と、
表示結果が導出される前に、表示結果の導出を許容するか否かを決定する事前決定手段（内部抽選）と、
遊技者が表示結果を導出させるために操作する導出操作手段（ストップスイッチ８Ｌ、８Ｃ、８Ｒ）と、
前記表示結果を導出する制御を行う導出制御手段と、
前記第２遊技状態（ＲＴ（１））において前記事前決定手段の決定結果が前記特定表示結果の導出が許容される決定結果（小役ＧＲ（１）〜（９））となった場合に、前記特定表示結果（移行出目（１）（２））の導出を回避する前記導出操作手段の操作態様（停止順）を特定可能に報知する第１の報知（小役ナビ）を行う第１の報知手段と、
前記有利遊技状態（ＲＴ（０））において前記事前決定手段の決定結果が前記不利表示結果の導出が許容される決定結果（リプレイＧＲ（１）〜（６））となった場合に、前記不利表示結果（リプレイ（３）〜（８）の入賞態様）の導出を回避する前記導出操作手段の操作態様（停止順）を特定可能に報知する第２の報知（リプレイナビ）を行う第２の報知手段と、
前記第１の報知手段による有利度（ナビ権利２の有無）を決定する第１の有利度決定手段（ナビ権利抽選２）と、
前記第２の報知手段による有利度（ナビ権利３の当選個数）を決定する第２の有利度決定手段（ナビ権利抽選３）と、
を備え、
前記第２遊技状態において前記事前決定手段の決定結果が前記特定表示結果の導出が許容される決定結果となったときに、前記第１の報知手段により前記第１の報知が実行されないときには、前記特定表示結果の導出の回避が成功する確率が１００％未満であり、
前記第１の報知手段は、前記第２遊技状態（ＲＴ（１））において前記第１の有利度決定手段（ナビ権利抽選２）により決定された有利度（ナビ権利２の有無）に応じて前記第１の報知（小役ナビ）を行い、
前記第２の報知手段は、前記有利遊技状態（ＲＴ（０））において前記第２の有利度決定手段（ナビ権利抽選３）により決定された有利度（ナビ権利３の当選個数）に応じて前記第２の報知（リプレイナビ）を行い、
前記第２の有利度決定手段（ナビ権利抽選３）は、前記第２遊技状態（ＲＴ（１））において前記第２の報知手段による有利度（ナビ権利３の当選個数）を決定するとともに、該決定される有利度は、前記第２遊技状態（ＲＴ（１））において該第２遊技状態（ＲＴ（１））が継続しているゲーム数が多いほど遊技者にとって有利となる割合（ナビ権利３の当選個数の平均）が高い
ことを特徴としている。
この特徴によれば、第２遊技状態において第１の報知手段が作動することで第２遊技状態を維持することが可能となり、有利遊技状態において第２の報知手段が作動することで有利遊技状態を維持することが可能となる。一方第２の有利度決定手段により決定される有利度、すなわち有利遊技状態における第２の報知手段による有利度は、第２遊技状態において該第２遊技状態が継続しているゲーム数が多いほど遊技者にとって有利となる割合が高いので、第２遊技状態が継続するゲーム数が多いほど、有利遊技状態も長く維持することができる。そして第１の有利度決定手段により決定された有利度に応じて第１の報知手段による第１の報知が行われるため、第１の有利度決定手段により決定された有利度が高いほど第２遊技状態に維持されるゲーム数が多くなり、その結果、第２の有利度決定手段による有利度が遊技者にとって有利となりやすく、その後の有利遊技状態に制御されるゲーム数も多くなりやすくなる。すなわち有利遊技状態の有利度が一度に決まるのではなく、第１の有利度決定手段により決定された有利度により第２遊技状態が維持されるゲーム数が変化し、そのゲーム数が多いほど、その後移行する有利遊技状態に維持されるゲーム数が多くなるため、遊技者が期待する契機を増加させることができる。
【００１０】
尚、所定数の賭数とは、少なくとも１以上の賭数であって、２以上の賭数が設定されることや最大賭数が設定されることでゲームが開始可能となるようにしても良い。また、遊技状態に応じて定められた賭数が設定されることでゲームが開始可能となるようにしても良い。
また、第１遊技状態は、不利遊技状態と同一の遊技状態であっても良いし、異なる遊技状態であっても良い。
また、第２遊技状態よりも遊技者にとって有利な有利遊技状態とは、遊技用価値の付与率が第２遊技状態よりも高い遊技状態であっても良いし、遊技用価値の付与率が第２遊技状態とほとんど変わらないものの、第２遊技状態よりも有利な遊技状態へ移行する可能性のある遊技状態などであっても良い。
また、有利遊技状態よりも不利な遊技状態とは、遊技用価値の付与率が有利遊技状態よりも低い遊技状態であっても良いし、遊技用価値の付与率が有利遊技状態とほとんど変わらないものの、有利遊技状態よりも有利な遊技状態へ移行しない、或いは移行する可能性の低い遊技状態などであっても良い。
また、第１の有利度決定手段が決定する前記第１の報知手段による有利度とは、第１の報知手段が第１の報知を行う確率、第１の報知手段が第１の報知を行う権利が付与される確率、当該権利の付与数などが該当する。
また、第２の有利度決定手段が決定する前記第２の報知手段による有利度とは、第２の報知手段が第２の報知を行う確率、第２の報知手段が第２の報知を行う権利が付与される確率、当該権利の付与数などが該当する。
また、前記第１の有利度決定手段により決定された有利度に応じて前記第１の報知を行うとは、有利度が第１の報知手段が第１の報知を行う確率であれば、その確率に応じて第１の報知を行うことであり、有利度が第１の報知手段が第１の報知を行う権利が付与される確率や当該権利が付与される個数であれば、その権利に応じて第１の報知を行うことである。
また、前記第２の有利度決定手段により決定される有利度が、前記第２遊技状態において該第２遊技状態が継続しているゲーム数が多いほど遊技者にとって有利となる割合が高いとは、例えば、事前決定手段による決定結果が所定の決定結果である場合に第２の有利度決定手段が遊技者にとって有利な有利度の決定を行うなど、ゲーム数が多いことにより遊技者にとって有利な有利度が決定される契機が増える構成でも良いし、あるゲーム数以上となった場合に、あるゲームよりも前よりも有利な有利度が決定される割合が高くなる構成でも良い。
また、遊技者にとって有利となる割合が高いとは、第２の報知手段が第２の報知を行う確率であれば、ゲーム数が多いほどより高い報知確率が決定される割合が高いことであり、第２の報知手段が第２の報知を行う権利が付与される確率であれば、ゲーム数が多いほど権利が付与される確率が高いことであり、当該権利の付与数であれば、ゲーム数が多いほど多くの権利が付与される可能性が高いことである。
また、導出操作手段の操作態様とは、導出操作手段が操作されるタイミングであっても良いし、可変表示装置が複数の可変表示部から構成され、それぞれに表示結果を導出させる際に操作される導出操作手段が個々に設けられている場合には、導出操作手段が操作される順序であっても良い。
【００１１】
本発明の手段２のスロットマシンは、手段１に記載のスロットマシンであって、
前記第２遊技状態（ＲＴ（１））において所定条件（１ゲームの消化）が成立する毎に該所定条件が成立した回数（ＲＴ（１）開始からのゲーム数）を計数する所定条件計数手段を備え、
前記第２の有利度決定手段（ナビ権利抽選３）は、前記第２遊技状態（ＲＴ（１））における前記所定条件の成立回数（ゲーム数）が特定の回数である場合に、該特定の回数以外の場合よりも有利度が高くなるように定めた決定データ（当選個数の平均値が大きい抽選テーブル）を用いて前記第２の報知手段による有利度を決定する（特定のゲーム数毎に平均個数の多いナビ権利抽選３を行ったり、特定のゲーム数毎にナビ権利３を付与する（変形例））
ことを特徴としている。
この特徴によれば、第２遊技状態における所定条件の成立回数が特定の回数となることで、有利度が高まるため、特定の回数とそれ以外の回数とで遊技者の有利度に明確な差が出るため、遊技者は特定の回数を目標に定めて第２遊技状態を維持すれば良いので、ゲーム性が分かりやすくなる。また、所定条件の成立回数が特定の回数以外であっても有利度の決定は行われるため、所定条件の成立回数が特定の回数以外であっても有利度の高い決定が行われることへの期待感を持たせることができる。
【００１２】
本発明の手段３のスロットマシンは、手段１または２に記載のスロットマシンであって、
前記第２遊技状態（ＲＴ（１））において所定条件（１ゲームの消化）が成立する毎に該所定条件が成立した回数（ＲＴ（１）開始からのゲーム数）を計数する所定条件計数手段と、
前記第２の有利度決定手段は、前記第２遊技状態（ＲＴ（１））における前記所定条件の成立回数（ゲーム数）が所定の回数（３１）以上である場合に、該所定の回数（３１）未満の場合よりも有利度が高くなるように定めた決定データ（当選個数の平均値が大きい抽選テーブル）を用いて前記第２の報知手段による有利度（ナビ権利３の当選個数）を決定する
ことを特徴としている。
この特徴によれば、第２遊技状態における所定条件の成立回数が所定の回数以上か、所定の回数未満か、を境にして遊技者の有利度に明確な差が出るため、遊技者は所定の回数を目標に定めて第２遊技状態を維持すれば良いので、ゲーム性が分かりやすくなる。また、所定条件の成立回数が所定の回数未満であっても有利度の決定は行われるため、所定条件の成立回数が所定の回数に到達するまでの状態であっても有利度の高い決定が行われることへの期待感を持たせることができる。
【００１３】
尚、手段２、３における所定条件とは、例えば、１ゲーム毎に必ず成立する条件（ゲームの終了など）でも良いし、１ゲーム毎に必ず成立するとは限らない条件（事前決定手段の決定結果が所定の結果となることなど）でも良い。
【００１４】
本発明の手段４のスロットマシンは、手段１〜３のいずれかに記載のスロットマシンであって、
前記第２の有利度決定手段（ナビ権利抽選３）は、前記第２遊技状態（ＲＴ（１））に加えて前記第１遊技状態（ＢＢ）においても前記第２の報知手段による有利度（ナビ権利３の当選個数）を決定する
ことを特徴としている。
この特徴によれば、第２遊技状態に移行する前の第１遊技状態でも第２の報知手段による有利度が決定されるので、連続する２つの遊技状態においてその後移行する有利遊技状態が継続することへの期待感を高めることができる。
【００１５】
本発明の手段５のスロットマシンは、手段４に記載のスロットマシンであって、
前記第１の有利度決定手段（ナビ権利抽選２）は、前記第１の報知手段（ＲＴ（１）中の小役ナビ）を作動させる第１の権利（ナビ権利２）を付与するか否かを決定し、
前記第２の有利度決定手段（ナビ権利抽選３）は、前記第２の報知手段（ＲＴ（０）中のリプレイナビ）を作動させる第２の権利（ナビ権利３）を付与するか否かを決定するとともに、
前記第２の有利度決定手段（ナビ権利抽選３）が前記第１遊技状態（ＢＢ）において前記第２の権利（ナビ権利３）を付与する旨を決定した場合に、前記第１の有利度決定手段（ナビ権利抽選２）も同時に前記第１の権利（ナビ権利２）を付与する旨を決定する
ことを特徴としている。
この特徴によれば、第１遊技状態において第２の権利が付与される場合には、第１の権利、すなわち第２遊技状態をより多く維持することが可能であり、結果さらに第２の権利が付与されることが期待できる権利も付与されるので、第１遊技状態において第２の権利が付与されることで、長期間にわたり有利遊技状態に制御されることへの期待感を高めることができる。
【００１６】
本発明の手段６のスロットマシンは、手段１〜５のいずれかに記載のスロットマシンであって、
前記特定表示結果（移行出目（１）（２））の導出が許容される決定結果は、特定入賞（小役）が発生する特定入賞表示結果の導出も許容する旨の決定結果（小役ＧＲ（１）〜（９））であり、
前記導出制御手段は、前記事前決定手段により前記特定入賞表示結果の導出を許容する旨（小役ＧＲ（１）〜（９））が決定された場合には、複数ある操作態様のうち特定の操作態様で前記導出操作手段（ストップスイッチ８Ｌ、８Ｃ、８Ｒ）が操作されたときに、前記特定入賞表示結果（小役）を導出する制御を行い、前記特定の操作態様とは異なる操作態様で前記導出操作手段（ストップスイッチ８Ｌ、８Ｃ、８Ｒ）が操作されたときに、前記特定表示結果（移行出目（１）（２））を導出する制御を行う
ことを特徴としている。
この特徴によれば、特定入賞表示結果の導出を許容する旨が決定されたにも関わらず、特定入賞を発生させることができなかった場合でも、第２遊技状態においてはさらに有利な有利遊技状態へ移行する契機となるため、特定入賞を発生させることができなかったことによる損失感を軽減できる。
【００１７】
本発明の手段７のスロットマシンは、手段１〜６のいずれかに記載のスロットマシンであって、
所定の設定操作手段（設定キースイッチ３７、リセット／設定スイッチ３８）の操作に基づいて、複数種類の設定値（設定１〜６）のうちからいずれかの設定値を選択することで遊技者に対する有利度を設定する有利度設定手段と、
前記不利遊技状態（ＲＴ（２））に移行してから消化したゲーム数を計数するゲーム数計数手段と、
前記不利遊技状態（ＲＴ（２））において前記ゲーム数計数手段が計数したゲーム数が規定値に到達したときに、該不利遊技状態（ＲＴ（２））を終了させ、該不利遊技状態（ＲＴ（２））よりも遊技者にとって有利な遊技状態（ＲＴ（０））へ移行させる不利遊技状態終了手段と、
を備え、
前記不利遊技状態（ＲＴ（２））において前記有利度設定手段により新たに設定値が設定された場合に、前記不利遊技状態（ＲＴ（２））を維持し、該不利遊技状態（ＲＴ（２））においては該新たな設定値に応じて定められた確率で前記事前決定手段（内部抽選）が入賞の発生を許容するか否かの決定を行うとともに、該新たな設定値が設定される前に前記ゲーム数計数手段が計数したゲーム数を維持し、
前記不利遊技状態（ＲＴ（２））において１ゲームが終了する前に前記有利度設定手段により新たに設定値が設定された場合に、該新たに設定値が設定されたことで中断したゲームを再開することなく、所定数の賭数を設定することによりゲームが開始可能な状態とするとともに、前記ゲーム数計数手段は、前記中断したゲームの開始前までに計数済みのゲーム数から計数を再開する
ことを特徴としている。
この特徴によれば、消化したゲーム数が規定値に到達することで終了する不利遊技状態において新たに設定値が設定された場合でも、その後、不利遊技状態及び消化ゲーム数が維持されるとともに、１ゲームが終了する前に新たに設定値が設定された場合には、新たに設定値が設定されたために中断したゲームが再開されるのではなく、賭数を設定することによりゲームが開始可能な状態となるが、この場合には、中断したゲームの開始前までに計数済みのゲーム数から不利遊技状態の消化ゲーム数の計数が再開されるので、不利遊技状態において１ゲームが終了する前に新たに設定値を設定しても、当該ゲームの結果を反映しないまま消化ゲーム数のみを更新させることが不可能となり、意図的に遊技者にとって有利な状態を設定することが不可能となるため、ゲームの公平性を保つことができる。
【図面の簡単な説明】
【００１８】
【図１】本発明を適用したスロットマシンの正面図である。
【図２】スロットマシンの内部構造図である。
【図３】リールの図柄配列を示す図である。
【図４】スロットマシンの構成を示すブロック図である。
【図５】入賞として定められた役の構成を示す図である。
【図６】遊技状態別の内部抽選の対象役を示す図である。
【図７】リプレイＧＲを構成する再遊技役の組合せ、小役ＧＲを構成する小役の組合せ、リプレイＧＲ、小役ＧＲの当選時において操作態様に応じて入賞ラインに揃う図柄組合せを示す図である。
【図８】ＲＴの移行状況を示す図である。
【図９】ＲＴの概要を示す図である。
【図１０】ＲＴワークの更新状況を示すタイミングチャートである。
【図１１】ＲＴワークの更新状況を示すタイミングチャートである。
【図１２】設定変更時におけるＲＴワークの更新状況を示すタイミングチャートである。
【図１３】設定変更時におけるＲＴワークの更新状況を示すタイミングチャートである。
【図１４】設定変更時におけるＲＴワークの更新状況を示すタイミングチャートである。
【図１５】ナビ権利の概要を示す図である。
【図１６】ナビ権利の当選確率を示す図である。
【発明を実施するための形態】
【００１９】
本発明の実施例を以下に説明する。
【実施例】
【００２０】
本発明が適用されたスロットマシンの実施例を図面を用いて説明すると、本実施例のスロットマシン１は、前面が開口する筐体１ａと、この筐体１ａの側端に回動自在に枢支された前面扉１ｂと、から構成されている。
【００２１】
本実施例のスロットマシン１の筐体１ａの内部には、図２に示すように、外周に複数種の図柄が配列されたリール２Ｌ、２Ｃ、２Ｒ（以下、左リール、中リール、右リール）が水平方向に並設されており、図１に示すように、これらリール２Ｌ、２Ｃ、２Ｒに配列された図柄のうち連続する３つの図柄が前面扉１ｂに設けられた透視窓３から見えるように配置されている。
【００２２】
リール２Ｌ、２Ｃ、２Ｒの外周部には、図３に示すように、それぞれ「黒７」、「白７」、「ＢＡＲ」、「リプレイ」、「ベル」、「スイカ」、「チェリー」、「オレンジ」、「ブドウ」、「プラム」といった互いに識別可能な複数種類の図柄が所定の順序で、それぞれ２１個ずつ描かれている。リール２Ｌ、２Ｃ、２Ｒの外周部に描かれた図柄は、透視窓３において各々上中下三段に表示される。
【００２３】
各リール２Ｌ、２Ｃ、２Ｒは、各々対応して設けられリールモータ３２Ｌ、３２Ｃ、３２Ｒ（図４参照）によって回転させることで、各リール２Ｌ、２Ｃ、２Ｒの図柄が透視窓３に連続的に変化しつつ表示されるとともに、各リール２Ｌ、２Ｃ、２Ｒの回転を停止させることで、透視窓３に３つの連続する図柄が表示結果として導出表示されるようになっている。
【００２４】
リール２Ｌ、２Ｃ、２Ｒの内側には、リール２Ｌ、２Ｃ、２Ｒそれぞれに対して、基準位置を検出するリールセンサ３３Ｌ、３３Ｃ、３３Ｒと、リール２Ｌ、２Ｃ、２Ｒを背面から照射するリールＬＥＤ５５と、が設けられている。また、リールＬＥＤ５５は、リール２Ｌ、２Ｃ、２Ｒの連続する３つの図柄に対応する１２のＬＥＤからなり、各図柄をそれぞれ独立して照射可能とされている。
【００２５】
前面扉１ｂの各リール２Ｌ、２Ｃ、２Ｒの手前側（遊技者側）の位置には、液晶表示器５１（図１参照）の表示領域５１ａが配置されている。液晶表示器５１は、透過性を有しており、表示領域５１ａの透視窓３に対応する透過領域５１ｂ及び透視窓３を介して遊技者側から各リール２Ｌ、２Ｃ、２Ｒが視認できるようになっている。また、表示領域５１ａの透過領域５１ｂを除く領域の裏面には、背後から表示領域５１ａを照射するバックライト（図示略）が設けられているとともに、さらにその裏面には、内部を隠蔽する隠蔽部材（図示略）が設けられている。
【００２６】
前面扉１ｂには、メダルを投入可能なメダル投入部４、メダルが払い出されるメダル払出口９、クレジット（遊技者所有の遊技用価値として記憶されているメダル数）を用いてメダル１枚分の賭数を設定する際に操作される１枚ＢＥＴスイッチ５、クレジットを用いて、その範囲内において遊技状態に応じて定められた規定数の賭数のうち最大の賭数（本実施例ではいずれの遊技状態においても３）を設定する際に操作されるＭＡＸＢＥＴスイッチ６、クレジットとして記憶されているメダル及び賭数の設定に用いたメダルを精算する（クレジット及び賭数の設定に用いた分のメダルを返却させる）際に操作される精算スイッチ１０、ゲームを開始する際に操作されるスタートスイッチ７、リール２Ｌ、２Ｃ、２Ｒの回転を各々停止する際に操作されるストップスイッチ８Ｌ、８Ｃ、８Ｒ、が遊技者により操作可能にそれぞれ設けられている。
【００２７】
また、前面扉１ｂには、クレジットとして記憶されているメダル枚数が表示されるクレジット表示器１１、後述するＢＢ中のメダルの獲得枚数やエラー発生時にその内容を示すエラーコード等が表示される遊技補助表示器１２、入賞の発生により払い出されたメダル枚数が表示されるペイアウト表示器１３が設けられている。
【００２８】
また、前面扉１ｂには、賭数が１設定されている旨を点灯により報知する１ＢＥＴＬＥＤ１４、賭数が２設定されている旨を点灯により報知する２ＢＥＴＬＥＤ１５、賭数が３設定されている旨を点灯により報知する３ＢＥＴＬＥＤ１６、メダルの投入が可能な状態を点灯により報知する投入要求ＬＥＤ１７、スタートスイッチ７の操作によるゲームのスタート操作が有効である旨を点灯により報知するスタート有効ＬＥＤ１８、ウェイト（前回のゲーム開始から一定期間経過していないためにリールの回転開始を待機している状態）中である旨を点灯により報知するウェイト中ＬＥＤ１９、後述するリプレイゲーム中である旨を点灯により報知するリプレイ中ＬＥＤ２０が設けられている。
【００２９】
ＭＡＸＢＥＴスイッチ６の内部には、１枚ＢＥＴスイッチ５及びＭＡＸＢＥＴスイッチ６の操作による賭数の設定操作が有効である旨を点灯により報知するＢＥＴスイッチ有効ＬＥＤ２１（図４参照）が設けられており、ストップスイッチ８Ｌ、８Ｃ、８Ｒの内部には、該当するストップスイッチ８Ｌ、８Ｃ、８Ｒによるリールの停止操作が有効である旨を点灯により報知する左、中、右停止有効ＬＥＤ２２Ｌ、２２Ｃ、２２Ｒ（図４参照）がそれぞれ設けられている。
【００３０】
前面扉１ｂの内側には、所定のキー操作により後述するエラー状態及び後述する打止状態を解除するためのリセット操作を検出するリセットスイッチ２３、後述する設定値の変更中や設定値の確認中にその時点の設定値が表示される設定値表示器２４、後述のＢＢ終了時に打止状態（リセット操作がなされるまでゲームの進行が規制される状態）に制御する打止機能の有効／無効を選択するための打止スイッチ３６ａ、後述のＢＢ終了時に自動精算処理（クレジットとして記憶されているメダルを遊技者の操作によらず精算（返却）する処理）に制御する自動精算機能の有効／無効を選択するための自動精算スイッチ３６ｂ、メダル投入部４から投入されたメダルの流路を、筐体１ａ内部に設けられた後述のホッパータンク３４ａ（図２参照）側またはメダル払出口９側のいずれか一方に選択的に切り替えるための流路切替ソレノイド３０、メダル投入部４から投入され、ホッパータンク３４ａ側に流下したメダルを検出する投入メダルセンサ３１を有するメダルセレクタ（図示略）、前面扉１ｂの開放状態を検出するドア開放検出スイッチ２５（図４参照）が設けられている。
【００３１】
筐体１ａ内部には、図２に示すように、前述したリール２Ｌ、２Ｃ、２Ｒ、リールモータ３２Ｌ、３２Ｃ、３２Ｒ、各リール２Ｌ、２Ｃ、２Ｒのリール基準位置をそれぞれ検出可能なリールセンサ３３Ｌ、３３Ｃ、３３Ｒ（図４参照）からなるリールユニット２、外部出力信号を出力するための外部出力基板１０００、メダル投入部４から投入されたメダルを貯留するホッパータンク３４ａ、ホッパータンク３４ａに貯留されたメダルをメダル払出口９より払い出すためのホッパーモータ３４ｂ、ホッパーモータ３４ｂの駆動により払い出されたメダルを検出する払出センサ３４ｃからなるホッパーユニット３４、電源ボックス１００が設けられている。
【００３２】
ホッパーユニット３４の側部には、ホッパータンク３４ａから溢れたメダルが貯留されるオーバーフロータンク３５が設けられている。オーバーフロータンク３５の内部には、貯留された所定量のメダルを検出可能な高さに設けられた左右に離間する一対の導電部材からなる満タンセンサ３５ａが設けられており、導電部材がオーバーフロータンク３５内に貯留されたメダルを介して接触することにより導電したときに内部に貯留されたメダル貯留量が所定量以上となったこと、すなわちオーバーフロータンクが満タン状態となったことを検出できるようになっている。
【００３３】
電源ボックス１００の前面には、設定変更状態または設定確認状態に切り替えるための設定キースイッチ３７、通常時においてはエラー状態や打止状態を解除するためのリセットスイッチとして機能し、設定変更状態においては後述する内部抽選の当選確率（出玉率）の設定値を変更するための設定スイッチとして機能するリセット／設定スイッチ３８、電源をｏｎ／ｏｆｆする際に操作される電源スイッチ３９が設けられている。
【００３４】
本実施例のスロットマシン１においてゲームを行う場合には、まず、メダルをメダル投入部４から投入するか、あるいはクレジットを使用して賭数を設定する。クレジットを使用するには１枚ＢＥＴスイッチ５またはＭＡＸＢＥＴスイッチ６を操作すれば良い。遊技状態に応じて定められた規定数の賭数が設定されると、入賞ラインＬ１〜Ｌ４（図１参照）のうち遊技状態に応じて定められた入賞ラインが有効となり、スタートスイッチ７の操作が有効な状態、すなわち、ゲームが開始可能な状態となる。本実施例では、規定数の賭数として遊技状態に関わらず３枚が定められて規定数の賭数が設定されると入賞ラインＬ１〜Ｌ４が有効となる。尚、遊技状態に対応する規定数のうち最大数を超えてメダルが投入された場合には、その分はクレジットに加算される。
【００３５】
入賞ラインとは、各リール２Ｌ、２Ｃ、２Ｒの透視窓３に表示された図柄の組合せが入賞図柄の組合せであるかを判定するために設定されるラインである。本実施例では、図１に示すように、リール２Ｌの上段、リール２Ｃの中段、リール２Ｒの下段、すなわち右下がりに並んだ図柄に跨って設定された入賞ラインＬ１、リール２Ｌの下段、リール２Ｃの中段、リール２Ｒの上段、すなわち右上がりに並んだ図柄に跨って設定された入賞ラインＬ２、リール２Ｌの上段、リール２Ｃの中段、リール２Ｒの上段、すなわちＶ字型に並んだ図柄に跨って設定された入賞ラインＬ３、リール２Ｌの下段、リール２Ｃの中段、リール２Ｒの下段、すなわち山型に並んだ図柄に跨って設定された入賞ラインＬ４の４種類が入賞ラインとして定められている。
【００３６】
ゲームが開始可能な状態でスタートスイッチ７を操作すると、各リール２Ｌ、２Ｃ、２Ｒが回転し、各リール２Ｌ、２Ｃ、２Ｒの図柄が連続的に変動する。この状態でいずれかのストップスイッチ８Ｌ、８Ｃ、８Ｒを操作すると、対応するリール２Ｌ、２Ｃ、２Ｒの回転が停止し、透視窓３に表示結果が導出表示される。
【００３７】
そして全てのリール２Ｌ、２Ｃ、２Ｒが停止されることで１ゲームが終了し、有効化され入賞ライン上に予め定められた図柄の組合せ（以下、役とも呼ぶ）が各リール２Ｌ、２Ｃ、２Ｒの表示結果として停止した場合には入賞が発生し、その入賞に応じて定められた枚数のメダルが遊技者に対して付与され、クレジットに加算される。また、クレジットが上限数（本実施例では５０）に達した場合には、メダルが直接メダル払出口９（図１参照）から払い出されるようになっている。尚、有効化され複数の入賞ライン上にメダルの払出を伴う図柄の組合せが揃った場合には、有効化され入賞ラインに揃った図柄の組合せそれぞれに対して定められた払出枚数を合計し、合計した枚数のメダルが遊技者に対して付与されることとなる。ただし、１ゲームで付与されるメダルの払出枚数には、上限（本実施例では１５枚）が定められており、合計した払出枚数が上限を超える場合には、上限枚数のメダルが付与されることとなる。また、有効化され入賞ライン上に、遊技状態の移行を伴う図柄の組合せが各リール２Ｌ、２Ｃ、２Ｒの表示結果として停止した場合には図柄の組合せに応じた遊技状態に移行するようになっている。
【００３８】
図４は、スロットマシン１の構成を示すブロック図である。スロットマシン１には、図４に示すように、遊技制御基板４０、演出制御基板９０、電源基板１０１が設けられており、遊技制御基板４０によって遊技状態が制御され、演出制御基板９０によって遊技状態に応じた演出が制御され、電源基板１０１によってスロットマシン１を構成する電気部品の駆動電源が生成され、各部に供給される。
【００３９】
電源基板１０１には、外部からＡＣ１００Ｖの電源が供給されるとともに、このＡＣ１００Ｖの電源からスロットマシン１を構成する電気部品の駆動に必要な直流電圧が生成され、遊技制御基板４０及び遊技制御基板４０を介して接続された演出制御基板９０に供給されるようになっている。
【００４０】
また、電源基板１０１には、前述したホッパーモータ３４ｂ、払出センサ３４ｃ、満タンセンサ３５ａ、設定キースイッチ３７、リセット／設定スイッチ３８、電源スイッチ３９が接続されている。
【００４１】
遊技制御基板４０には、前述した１枚ＢＥＴスイッチ５、ＭＡＸＢＥＴスイッチ６、スタートスイッチ７、ストップスイッチ８Ｌ、８Ｃ、８Ｒ、精算スイッチ１０、リセットスイッチ２３、打止スイッチ３６ａ、自動精算スイッチ３６ｂ、投入メダルセンサ３１、ドア開放検出スイッチ２５、リールセンサ３３Ｌ、３３Ｃ、３３Ｒが接続されているとともに、電源基板１０１を介して前述した払出センサ３４ｃ、満タンセンサ３５ａ、設定キースイッチ３７、リセット／設定スイッチ３８が接続されており、これら接続されたスイッチ類の検出信号が入力されるようになっている。
【００４２】
また、遊技制御基板４０には、前述したクレジット表示器１１、遊技補助表示器１２、ペイアウト表示器１３、１〜３ＢＥＴＬＥＤ１４〜１６、投入要求ＬＥＤ１７、スタート有効ＬＥＤ１８、ウェイト中ＬＥＤ１９、リプレイ中ＬＥＤ２０、ＢＥＴスイッチ有効ＬＥＤ２１、左、中、右停止有効ＬＥＤ２２Ｌ、２２Ｃ、２２Ｒ、設定値表示器２４、流路切替ソレノイド３０、リールモータ３２Ｌ、３２Ｃ、３２Ｒが接続されているとともに、電源基板１０１を介して前述したホッパーモータ３４ｂが接続されており、これら電気部品は、遊技制御基板４０に搭載された後述のメイン制御部４１の制御に基づいて駆動されるようになっている。
【００４３】
遊技制御基板４０には、メインＣＰＵ４１ａ、ＲＯＭ４１ｂ、ＲＡＭ４１ｃ、Ｉ／Ｏポート４１ｄを備えたマイクロコンピュータからなり、遊技の制御を行うメイン制御部４１、所定範囲（本実施例では０〜６５５３５）の乱数を生成する乱数回路４２、一定周波数のクロック信号を乱数回路４２に供給するパルス発振器４３、遊技制御基板４０に直接または電源基板１０１を介して接続されたスイッチ類から入力された検出信号を検出するスイッチ検出回路４４、リールモータ３２Ｌ、３２Ｃ、３２Ｒの駆動制御を行うモータ駆動回路４５、流路切替ソレノイド３０の駆動制御を行うソレノイド駆動回路４６、遊技制御基板４０に接続された各種表示器やＬＥＤの駆動制御を行うＬＥＤ駆動回路４７、スロットマシン１に供給される電源電圧を監視し、電圧低下を検出したときに、その旨を示す電圧低下信号をメイン制御部４１に対して出力する電断検出回路４８、電源投入時またはメインＣＰＵ４１ａからの初期化命令が入力されないときにメインＣＰＵ４１ａにリセット信号を与えるリセット回路４９、その他各種デバイス、回路が搭載されている。
【００４４】
メインＣＰＵ４１ａは、計時機能、タイマ割込などの割込機能（割込禁止機能を含む）を備え、ＲＯＭ４１ｂに記憶されたプログラム（後述）を実行して、遊技の進行に関する処理を行うととともに、遊技制御基板４０に搭載された制御回路の各部を直接的または間接的に制御する。ＲＯＭ４１ｂは、メインＣＰＵ４１ａが実行するプログラムや各種テーブル等の固定的なデータを記憶する。ＲＡＭ４１ｃは、メインＣＰＵ４１ａがプログラムを実行する際のワーク領域等として使用される。Ｉ／Ｏポート４１ｄは、メイン制御部４１が備える信号入出力端子を介して接続された各回路との間で制御信号を入出力する。
【００４５】
また、メイン制御部４１には、停電時においてもバックアップ電源が供給されており、バックアップ電源が供給されている間は、ＲＡＭ４１ｃに記憶されているデータが保持されるようになっている。
【００４６】
メインＣＰＵ４１ａは、基本処理として遊技制御基板４０に接続された各種スイッチ類の検出状態が変化するまでは制御状態に応じた処理を繰り返しループし、各種スイッチ類の検出状態の変化に応じて段階的に移行する処理を実行する。また、メインＣＰＵ４１ａは、前述のように割込機能を備えており、割込の発生により基本処理に割り込んで割込処理を実行できるようになっており、電断検出回路４８から出力された電圧低下信号の入力に応じて電断割込処理（メイン）を実行し、一定時間間隔（本実施例では、約０．５６ｍｓ）毎にタイマ割込処理（メイン）を実行する。尚、タイマ割込処理（メイン）の実行間隔は、基本処理において制御状態に応じて繰り返す処理が一巡する時間とタイマ割込処理（メイン）の実行時間とを合わせた時間よりも長い時間に設定されており、今回と次回のタイマ割込処理（メイン）との間で必ず制御状態に応じて繰り返す処理が最低でも一巡することとなる。
【００４７】
メインＣＰＵ４１ａは、Ｉ／Ｏポート４１ｄを介して演出制御基板９０に、各種のコマンドを送信する。遊技制御基板４０から演出制御基板９０へ送信されるコマンドは一方向のみで送られ、演出制御基板９０から遊技制御基板４０へ向けてコマンドが送られることはない。遊技制御基板４０から演出制御基板９０へ送信されるコマンドの伝送ラインは、ストローブ（ＩＮＴ）信号ライン、データ伝送ライン、グラウンドラインから構成されているとともに、演出中継基板８０を介して接続されており、遊技制御基板４０と演出制御基板９０とが直接接続されない構成とされている。
【００４８】
演出制御基板９０には、スロットマシン１の前面扉１ｂに配置された液晶表示器５１（図１参照）、演出効果ＬＥＤ５２、スピーカ５３、５４、前述したリールＬＥＤ５５等の演出装置が接続されており、これら演出装置は、演出制御基板９０に搭載された後述のサブ制御部９１による制御に基づいて駆動されるようになっている。
【００４９】
尚、本実施例では、演出制御基板９０に搭載されたサブ制御部９１により、液晶表示器５１、演出効果ＬＥＤ５２、スピーカ５３、５４、リールＬＥＤ５５等の演出装置の出力制御が行われる構成であるが、サブ制御部９１とは別に演出装置の出力制御を直接的に行う出力制御部を演出制御基板９０または他の基板に搭載し、サブ制御部９１がメイン制御部４１からのコマンドに基づいて演出装置の出力パターンを決定し、サブ制御部９１が決定した出力パターンに基づいて出力制御部が演出装置の出力制御を行う構成としても良く、このような構成では、サブ制御部９１及び出力制御部の双方によって演出装置の出力制御が行われることとなる。
【００５０】
また、本実施例では、演出装置として液晶表示器５１、演出効果ＬＥＤ５２、スピーカ５３、５４、リールＬＥＤ５５を例示しているが、演出装置は、これらに限られず、例えば、機械的に駆動する表示装置や機械的に駆動する役モノなどを演出装置として適用しても良い。
【００５１】
演出制御基板９０には、メイン制御部４１と同様にサブＣＰＵ９１ａ、ＲＯＭ９１ｂ、ＲＡＭ９１ｃ、Ｉ／Ｏポート９１ｄを備えたマイクロコンピュータにて構成され、演出の制御を行うサブ制御部９１、演出制御基板９０に接続された液晶表示器５１の表示制御を行う表示制御回路９２、演出効果ＬＥＤ５２、リールＬＥＤ５５の駆動制御を行うＬＥＤ駆動回路９３、スピーカ５３、５４からの音声出力制御を行う音声出力回路９４、電源投入時またはサブＣＰＵ９１ａからの初期化命令が一定時間入力されないときにサブＣＰＵ９１ａにリセット信号を与えるリセット回路９５、日付情報及び時刻情報を含む時間情報を出力する時計装置９７、スロットマシン１に供給される電源電圧を監視し、電圧低下を検出したときに、その旨を示す電圧低下信号をサブＣＰＵ９１ａに対して出力する電断検出回路９８、その他の回路等、が搭載されており、サブＣＰＵ９１ａは、遊技制御基板４０から送信されるコマンドを受けて、演出を行うための各種の制御を行うとともに、演出制御基板９０に搭載された制御回路の各部を直接的または間接的に制御する。
【００５２】
サブＣＰＵ９１ａは、メインＣＰＵ４１ａと同様に、割込機能（割込禁止機能を含む）を備える。サブ制御部９１の割込端子の１つは、コマンド伝送ラインのうち、メイン制御部４１がコマンドを送信する際に出力するストローブ（ＩＮＴ）信号線に接続されており、サブＣＰＵ９１ａは、ストローブ信号の入力に基づいて割込を発生させて、メイン制御部４１からのコマンドを取得し、バッファに格納するコマンド受信割込処理を実行する。また、サブＣＰＵ９１ａは、クロック入力数が一定数に到達する毎、すなわち一定間隔毎に割込を発生させて後述するタイマ割込処理（サブ）を実行する。また、サブ制御部９１の割込端子の１つは、電断検出回路９８と接続されており、サブＣＰＵ９１ａは、電断検出回路９８から出力された電圧低下信号の入力に応じて電断割込処理（サブ）を実行する。また、サブＣＰＵ９１ａにおいても未使用の割込が発生した場合には、もとの処理に即時復帰させる未使用割込処理を実行するようになっている。
【００５３】
また、サブ制御部９１にも、停電時においてバックアップ電源が供給されており、バックアップ電源が供給されている間は、ＲＡＭ９１ｃに記憶されているデータが保持されるようになっている。
【００５４】
本実施例のスロットマシン１は、設定値に応じてメダルの払出率が変わるものである。詳しくは、後述する内部抽選において設定値に応じた当選確率を用いることにより、メダルの払出率が変わるようになっている。設定値は１〜６の６段階からなり、６が最も払出率が高く、５、４、３、２、１の順に値が小さくなるほど払出率が低くなる。すなわち設定値として６が設定されている場合には、遊技者にとって最も有利度が高く、５、４、３、２、１の順に値が小さくなるほど有利度が段階的に低くなる。
【００５５】
設定値を変更するためには、設定キースイッチ３７をＯＮ状態としてからスロットマシン１の電源をＯＮする必要がある。設定キースイッチ３７をＯＮ状態として電源をＯＮすると、設定値表示器２４にＲＡＭ４１ｃから読み出された設定値が表示値として表示され、リセット／設定スイッチ３８の操作による設定値の変更操作が可能な設定変更状態に移行する。設定変更状態において、リセット／設定スイッチ３８が操作されると、設定値表示器２４に表示された表示値が１ずつ更新されていく（設定６からさらに操作されたときは、設定１に戻る）。そして、スタートスイッチ７が操作されると表示値を設定値として確定する。そして、設定キースイッチ３７がＯＦＦされると、確定した表示値（設定値）がメイン制御部４１のＲＡＭ４１ｃに格納され、遊技の進行が可能な状態に移行する。
【００５６】
このように、設定値を変更するためには、設定キースイッチ３７をｏｎ状態としてからスロットマシン１の電源をｏｎする必要がある。すなわち電源がｏｎの状態から設定値を変更するためには、一度電源をｏｆｆにしてから再度ｏｎの状態とする必要があり、むやみに設定値を変更できない構成となっている。
【００５７】
また、設定値を確認するためには、ゲーム終了後、賭数が設定されていない状態で設定キースイッチ３７をｏｎ状態とすれば良い。このような状況で設定キースイッチ３７をｏｎ状態とすると、設定値表示器２４にＲＡＭ４１ｃから読み出された設定値が表示されることで設定値を確認可能な設定確認状態に移行する。設定確認状態においては、ゲームの進行が不能であり、設定キースイッチ３７をｏｆｆ状態とすることで、設定確認状態が終了し、ゲームの進行が可能な状態に復帰することとなる。
【００５８】
本実施例のスロットマシン１においては、メインＣＰＵ４１ａが電断検出回路４８からの電圧低下信号を検出した際に、電断割込処理（メイン）を実行する。電断割込処理（メイン）では、レジスタを後述するＲＡＭ４１ｃのスタックに退避し、ＲＡＭ４１ｃにいずれかのビットが１となる破壊診断用データ（本実施例では、５ＡＨ）、すなわち０以外の特定のデータを格納するとともに、ＲＡＭ４１ｃの全ての領域に格納されたデータに基づくＲＡＭパリティが０となるようにＲＡＭパリティ調整用データを計算し、ＲＡＭ４１ｃに格納する処理を行うようになっている。尚、ＲＡＭパリティとはＲＡＭ４１ｃの該当する領域（本実施例では、全ての領域）の各ビットに格納されている値の排他的論理和として算出される値である。このため、ＲＡＭ４１ｃの全ての領域に格納されたデータに基づくＲＡＭパリティが０であれば、ＲＡＭパリティ調整用データは０となり、ＲＡＭ４１ｃの全ての領域に格納されたデータに基づくＲＡＭパリティが１であれば、ＲＡＭパリティ調整用データは１となる。
【００５９】
そして、メインＣＰＵ４１ａは、その起動時においてＲＡＭ４１ｃの全ての領域に格納されたデータに基づいてＲＡＭパリティを計算するとともに、破壊診断用データの値を確認し、ＲＡＭパリティが０であり、かつ破壊診断用データの値も正しいことを条件に、ＲＡＭ４１ｃに記憶されているデータに基づいてメインＣＰＵ４１ａの処理状態を電断前の状態に復帰させるが、ＲＡＭパリティが０でない場合（１の場合）や破壊診断用データの値が正しくない場合には、ＲＡＭ異常と判定し、ＲＡＭ異常エラーコードをレジスタにセットしてＲＡＭ異常エラー状態に制御し、遊技の進行を不能化させるようになっている。尚、ＲＡＭ異常エラー状態は、他のエラー状態と異なり、リセットスイッチ２３やリセット／設定スイッチ３８を操作しても解除されないようになっており、前述した設定変更状態において新たな設定値が設定されるまで解除されることがない。
【００６０】
尚、本実施例では、ＲＡＭ４１ｃに格納されている全てのデータが停電時においてもバックアップ電源により保持されるとともに、メインＣＰＵ４１ａは、電源投入時においてＲＡＭ４１ｃのデータが正常であると判定した場合に、ＲＡＭ４１ｃの格納データに基づいて電断前の制御状態に復帰する構成であるが、ＲＡＭ４１ｃに格納されているデータのうち停電時において制御状態の復帰に必要なデータのみをバックアップし、電源投入時においてバックアップされているデータに基づいて電断前の制御状態に復帰する構成としても良い。
【００６１】
また、電源投入時において電断前の制御状態に復帰させる際に、全ての制御状態を電断前の制御状態に復帰させる必要はなく、遊技者に対して不利益とならない最低限の制御状態を復帰させる構成であれば良く、例えば、入力ポートの状態などを全て電断前の状態に復帰させる必要はない。
【００６２】
また、サブＣＰＵ９１ａも電断検出回路９８からの電圧低下信号を検出した際に、電断割込処理（サブ）を実行する。電断割込処理（サブ）では、レジスタを後述するＲＡＭ９１ｃのスタックに退避し、ＲＡＭ９１ｃにいずれかのビットが１となる破壊診断用データを格納するとともに、ＲＡＭ９１ｃの全ての領域に格納されたデータに基づくＲＡＭパリティが０となるようにＲＡＭパリティ調整用データを計算し、ＲＡＭ９１ｃに格納する処理を行うようになっている。
【００６３】
そして、サブＣＰＵ９１ａは、その起動時においてＲＡＭ９１ｃの全ての領域に格納されたデータに基づいてＲＡＭパリティを計算し、ＲＡＭパリティが０であることを条件に、ＲＡＭ９１ｃに記憶されているデータに基づいてサブＣＰＵ９１ａの処理状態を電断前の状態に復帰させるが、ＲＡＭパリティが０でない場合（１の場合）には、ＲＡＭ異常と判定し、ＲＡＭ９１ｃを初期化するようになっている。この場合、メインＣＰＵ４１ａと異なり、ＲＡＭ９１ｃが初期化されるのみで演出の実行が不能化されることはない。
【００６４】
尚、本実施例では、ＲＡＭ９１ｃに格納されている全てのデータが停電時においてもバックアップ電源により保持されるとともに、サブＣＰＵ９１ａは、電源投入時においてＲＡＭ９１ｃのデータが正常であると判定した場合に、ＲＡＭ９１ｃの格納データに基づいて電断前の制御状態に復帰する構成であるが、ＲＡＭ９１ｃに格納されているデータのうち停電時において制御状態の復帰に必要なデータのみをバックアップし、電源投入時においてバックアップされているデータに基づいて電断前の制御状態に復帰する構成としても良い。
【００６５】
また、電源投入時において電断前の制御状態に復帰させる際に、全ての制御状態を電断前の制御状態に復帰させる必要はなく、遊技者に対して不利益とならない最低限の制御状態を復帰させる構成であれば良く、入力ポートの状態や、演出が途中で中断された場合の途中経過などを全て電断前の状態に復帰させる必要はない。例えば、ＢＢ中か、通常遊技状態か、などの遊技状態を示すデータのみをバックアップするとともに、遊技状態に対応する演出（ＢＢ中であればＢＢ中演出、通常遊技状態であれば通常演出）以外の特定の演出（小役告知など）の実行中に電断が発生した場合に、次回電源投入時において電断時に実行されていた特定の演出を再開するのではなく、電源投入時においてバックアップされている遊技状態に対応する演出を最初から実行するようにしても良い。
【００６６】
次に、メイン制御部４１のＲＡＭ４１ｃの初期化について説明する。メイン制御部４１のＲＡＭ４１ｃの格納領域は、重要ワーク、一般ワーク、特別ワーク、設定値ワーク、ＲＴワーク、停止相ワーク、非保存ワーク、未使用領域、スタック領域に区分されている。
【００６７】
重要ワークは、各種表示器やＬＥＤの表示用データ、Ｉ／Ｏポート４１ｄの入出力データ、遊技時間の計時カウンタ等、ＢＢ終了時に初期化すると不都合があるデータが格納されるワークである。一般ワークは、内部当選フラグ、停止制御テーブル、停止図柄、メダルの払出枚数、ＢＢ中のメダル払出総数等、ＢＢ終了時に初期化可能なデータが格納されるワークである。特別ワークは、演出制御基板９０へコマンドを送信するためのデータ、各種ソフトウェア乱数等、設定開始前にのみ初期化されるデータが格納されるワークである。設定値ワークは、内部抽選処理で抽選を行う際に用いる設定値が格納されるワークであり、設定開始前（設定変更モードへの移行前）の初期化において０が格納された後、１に補正され、設定終了時（設定変更モードへの終了時）に新たに設定された設定値が格納されることとなる。ＲＴワークは、現在の遊技状態がＲＴ（１）〜（４）のいずれかである場合にその旨を示すＲＴフラグ、ＲＴ残りゲーム数が格納されるワークである。停止相ワークは、リールモータ３２Ｌ、３２Ｃ、３２Ｒの停止相を示すデータが格納されるワークであり、リールモータ３２Ｌ、３２Ｃ、３２Ｒが停止状態となった際にその停止相を示すデータが格納されることとなる。非保存ワークは、各種スイッチ類の状態を保持するワークであり、起動時にＲＡＭ４１ｃのデータが破壊されているか否かに関わらず必ず値が設定されることとなる。未使用領域は、ＲＡＭ４１ｃの格納領域のうち使用していない領域であり、後述する複数の初期化条件のいずれか１つでも成立すれば初期化されることとなる。スタック領域は、メインＣＰＵ４１ａのレジスタから退避したデータが格納される領域であり、このうちの未使用スタック領域は、未使用領域と同様に、後述する複数の初期化条件のいずれか１つでも成立すれば初期化されることとなるが、使用中スタック領域は、プログラムの続行のため、初期化されることはない。
【００６８】
本実施例においてメインＣＰＵ４１ａは、ＲＡＭ異常エラー発生時、設定キースイッチ３７、リセット／設定スイッチ３８の双方がｏｎの状態での起動時、設定キースイッチ３７のみがｏｎの状態での起動時、ＢＢ終了時、設定キースイッチ３７、リセット／設定スイッチ３８の双方がｏｆｆの状態での起動時においてＲＡＭ４１ｃのデータが破壊されていないとき、１ゲーム終了時の６つからなる初期化条件が成立した際に、各初期化条件に応じて初期化される領域の異なる６種類の初期化を行う。
【００６９】
初期化０は、ＲＡＭ異常エラー発生時に行う初期化であり、初期化０では、ＲＡＭ４１ｃの格納領域のうち、使用中スタック領域を除く全ての領域（未使用領域及び未使用スタック領域を含む）が初期化される。初期化１は、起動時において設定キースイッチ３７、リセット／設定スイッチ３８の双方がｏｎの状態であり、設定変更モードへ移行する場合において、その前に行う初期化であり、初期化１では、ＲＡＭ４１ｃの格納領域のうち、使用中スタック領域及びＲＴワークを除く全ての領域（未使用領域及び未使用スタック領域を含む）が初期化される。初期化２は、起動時において設定キースイッチ３７のみがｏｎの状態であり、設定変更モードへ移行する場合において、その前に行う初期化であり、初期化２では、ＲＡＭ４１ｃの格納領域のうち、使用中スタック領域、ＲＴワーク及び停止相ワークを除く全ての領域（未使用領域及び未使用スタック領域を含む）が初期化される。初期化３は、ＢＢ終了時に行う初期化であり、初期化３では、ＲＡＭ４１ｃの格納領域のうち、一般ワーク、未使用領域及び未使用スタック領域が初期化される。初期化４は、起動時において設定キースイッチ３７、リセット／設定スイッチ３８の双方がｏｆｆの状態であり、かつＲＡＭ４１ｃのデータが破壊されていない場合において行う初期化であり、初期化４では、非保存ワーク、未使用領域及び未使用スタック領域が初期化される。初期化５は、１ゲーム終了時に行う初期化であり、初期化５では、ＲＡＭ４１ｃの格納領域のうち、未使用領域及び未使用スタック領域が初期化される。
【００７０】
尚、本実施例では、初期化１、初期化２を設定変更モードの移行前に行っているが、設定変更モードの終了時、すなわち設定が確定した後に行うようにしても良い。この場合、設定値ワークを初期化してしまうと確定した設定値が失われてしまうこととなるので、設定値ワークの初期化は行われない。
【００７１】
本実施例のスロットマシン１は、前述のように遊技状態に応じて設定可能な賭数の規定数が定められており、遊技状態に応じて定められた規定数の賭数が設定されたことを条件にゲームを開始させることが可能となる。本実施例では、後に説明するが、遊技状態として、ＲＴ（０）〜（３）、レギュラーボーナス（以下ＲＢと呼ぶ）があり、いずれの遊技状態であっても賭数の規定数として３が定められており、遊技状態に関わらず、賭数として３が設定されるとゲームを開始させることが可能となる。尚、本実施例では、遊技状態に応じた規定数の賭数が設定された時点で、入賞ラインＬ１〜Ｌ４の全てが有効化されることとなる。
【００７２】
本実施例のスロットマシン１は、全てのリール２Ｌ、２Ｃ、２Ｒが停止した際に、有効化された入賞ライン（以下、単に入賞ラインと呼ぶ）上に役と呼ばれる図柄の組合せが揃うと入賞となる。役は、同一図柄の組合せであっても良いし、異なる図柄を含む組合せであっても良い。入賞となる役の種類は、遊技状態に応じて定められているが、大きく分けて、メダルの払い出しを伴う小役と、賭数の設定を必要とせずに次のゲームを開始可能となる再遊技役と、遊技状態の移行を伴う特別役と、がある。以下では、小役と再遊技役をまとめて一般役とも呼ぶ。遊技状態に応じて定められた各役の入賞が発生するためには、後述する内部抽選に当選して、当該役の当選フラグがＲＡＭ４１ｃに設定されている必要がある。
【００７３】
尚、これら各役の当選フラグのうち、小役及び再遊技役の当選フラグは、当該フラグが設定されたゲームにおいてのみ有効とされ、次のゲームでは無効となるが、特別役の当選フラグは、当該フラグにより許容された役の組合せが揃うまで有効とされ、許容された役の組合せが揃ったゲームにおいて無効となる。すなわち特別役の当選フラグが一度当選すると、例え、当該フラグにより許容された役の組合せを揃えることができなかった場合にも、その当選フラグは無効とされずに、次のゲームへ持ち越されることとなる。
【００７４】
このスロットマシン１における役としては、図５に示すように、特別役としてビッグボーナス（１）〜（３）（以下ではビッグボーナス（１）をＢＢ（１）、ビッグボーナス（２）をＢＢ（２）、ビッグボーナス（３）をＢＢ（３）とする）が、再遊技役としてリプレイ（１）〜（１０）が、小役としてスイカ、チェリー、ベル、小役（１）〜（１０）が定められている。
【００７５】
スイカは、ＲＴ（０）〜（３）において入賞ラインのいずれかに「スイカ−スイカ−スイカ」の組合せが揃ったときに入賞となり、１枚のメダルが払い出される。
【００７６】
チェリーは、ＲＴ（０）〜（３）において中リールについて入賞ラインのいずれかに「チェリー」の図柄が導出されたときに入賞となり、４枚のメダルが払い出される。尚、「チェリー」の図柄が中リールの中段に停止した場合には、入賞ラインＬ１〜Ｌ４の４本の入賞ラインにチェリー組合せが揃うこととなり、４本の入賞ライン上でチェリーに入賞したこととなるが合計枚数が上限である１５枚を超えるため、１５枚のメダルが払い出されることとなる。
【００７７】
ベルは、ＲＴ（０）〜（３）において入賞ラインのいずれかに「ベル−ベル−ベル」の組合せが揃ったときに入賞となり、小役（１）は、ＲＴ（０）〜（３）において入賞ラインのいずれかに「黒７−リプレイ−ブドウ」の組合せが揃ったときに入賞となり、小役（２）は、ＲＴ（０）〜（３）において入賞ラインのいずれかに「白７−リプレイ−ブドウ」の組合せが揃ったときに入賞となり、小役（３）は、ＲＴ（０）〜（３）において入賞ラインのいずれかに「ＢＡＲ−リプレイ−ブドウ」の組合せが揃ったときに入賞となり、小役（４）は、ＲＴ（０）〜（３）において入賞ラインのいずれかに「ブドウ−黒７−ブドウ」の組合せが揃ったときに入賞となり、小役（５）は、ＲＴ（０）〜（３）において入賞ラインのいずれかに「ブドウ−白７−ブドウ」の組合せが揃ったときに入賞となり、小役（６）は、ＲＴ（０）〜（３）において入賞ラインのいずれかに「ブドウ−ＢＡＲ−ブドウ」の組合せが揃ったときに入賞となり、小役（７）は、ＲＴ（０）〜（３）において入賞ラインのいずれかに「ブドウ−リプレイ−黒７」の組合せが揃ったときに入賞となり、小役（８）は、ＲＴ（０）〜（３）において入賞ラインのいずれかに「ブドウ−リプレイ−白７」の組合せが揃ったときに入賞となり、小役（９）は、ＲＴ（０）〜（３）において入賞ラインのいずれかに「ブドウ−リプレイ−ＢＡＲ」の組合せが揃ったときに入賞となる。ベル、小役（１）〜（９）のいずれかが入賞すると、９枚のメダルが払い出される。
【００７８】
小役（１０）は、ＲＢにおいて入賞ラインのいずれかに「プラム−ベル−ベル」の組合せが揃ったときに入賞となり、小役（１０）が入賞すると、１２枚のメダルが払い出される。
【００７９】
リプレイ（１）は、いずれの遊技状態においても入賞ラインのいずれかに「リプレイ−リプレイ−リプレイ」の組合せが揃ったときに入賞となり、リプレイ（２）は、いずれの遊技状態においても入賞ラインのいずれかに「オレンジ−オレンジ−オレンジ」の組合せが揃ったときに入賞となり、リプレイ（３）は、いずれの遊技状態においても入賞ラインのいずれかに「リプレイ−オレンジ−オレンジ」の組合せが揃ったときに入賞となり、リプレイ（４）は、いずれの遊技状態においても入賞ラインのいずれかに「オレンジ−リプレイ−オレンジ」の組合せが揃ったときに入賞となり、リプレイ（５）は、いずれの遊技状態においても入賞ラインのいずれかに「オレンジ−オレンジ−リプレイ」の組合せが揃ったときに入賞となり、リプレイ（６）は、いずれの遊技状態においても入賞ラインのいずれかに「リプレイ−オレンジ−ブドウ」の組合せが揃ったときに入賞となり、リプレイ（７）は、いずれの遊技状態においても入賞ラインのいずれかに「プラム−リプレイ−オレンジ」の組合せが揃ったときに入賞となり、リプレイ（８）は、いずれの遊技状態においても入賞ラインのいずれかに「プラム−オレンジ−リプレイ」の組合せが揃ったときに入賞となる。リプレイ（９）は、いずれの遊技状態においても入賞ラインのいずれかに「プラム−リプレイ−ベル」の組合せが揃ったときに入賞となる。リプレイ（１０）は、いずれの遊技状態においても入賞ラインのいずれかに「プラム−白７−ベル」の組合せが揃ったときに入賞となる。リプレイ（１）〜（１０）のいずれかが入賞したときには、メダルの払い出しはないが次のゲームを改めて賭数を設定することなく開始できるので、次のゲームで設定不要となった賭数に対応した３枚のメダルが払い出されるのと実質的には同じこととなる。
【００８０】
尚、本実施例では、後述のようにリプレイ（１）がＲＢにおいて抽選対象外となるため、ＲＢにおいてリプレイ（１）の組合せが入賞ラインに揃うことはない。また、後述のようにリプレイ（３）〜（８）の入賞が許容されるリプレイＧＲ（１）〜（６）がＲＴ（０）（１）、ＲＢのみ抽選対象となるため、ＲＴ（２）（３）においてリプレイ（３）〜（８）の組合せが入賞ラインに揃うことはない。また、後述のようにリプレイ（９）（１０）の入賞が許容されるリプレイＧＲ（７）がＲＴ（１）、ＲＢのみ抽選対象となるため、ＲＴ（０）（２）（３）においてリプレイ（９）（１０）の組合せが入賞ラインに揃うことはない。また、ＲＴ（１）においてリプレイ（１）は、必ずＢＢ（１）〜（３）のいずれかと当選するため、ＢＢ（１）〜（３）の当選時に当該ゲームの終了を待つことなくＲＴ（３）へ移行する構成を採用した場合には、ＲＴ（１）においてリプレイ（１）の組合せが入賞ラインに揃うことはない。
【００８１】
ＢＢ（１）は、ＲＴ（０）〜（３）において入賞ラインのいずれかに「黒７−黒７−黒７」の組合せが揃ったときに入賞となり、ＢＢ（２）は、ＲＴ（０）〜（３）において入賞ラインのいずれかに「ＢＡＲ−ＢＡＲ−ＢＡＲ」の組合せが揃ったときに入賞となり、ＢＢ（３）は、ＲＴ（０）〜（３）において入賞ラインのいずれかに「ＢＡＲ−ＢＡＲ−黒７」の組合せが揃ったときに入賞となる。尚、ＢＢ（１）〜（３）の当選時に当該ゲームの終了を待つことなくＲＴ（３）へ移行する構成を採用した場合には、ＢＢ（１）〜（３）は、ＲＴ（３）においてのみ入賞可能となる。
【００８２】
ＢＢ（１）〜（３）のいずれかが入賞すると、遊技状態がＢＢに移行するとともに同時にＲＢに移行する。ＲＢは、小役、特に小役（１０）の当選確率が高まることによって他の遊技状態よりも遊技者にとって有利となる遊技状態であり、ＲＢが開始した後、１２ゲームを消化したとき、または８ゲーム入賞（役の種類は、いずれでも可）したとき、のいずれか早いほうで終了する。ＲＢが終了した際に、ＢＢが終了していなければ、再度ＲＢに移行し、ＢＢが終了するまで繰り返しＲＢに制御される。すなわちＢＢ中は、常にＲＢに制御されることとなる。そして、ＢＢ（１）の入賞を契機とするＢＢは、当該ＢＢ中において遊技者に払い出したメダルの総数が３４９枚を超えたときに終了し、ＢＢ（２）（３）の入賞を契機とするＢＢは、当該ＢＢ中において遊技者に払い出したメダルの総数が１４６枚を超えたときに終了する。ＢＢの終了時には、ＲＢの終了条件が成立しているか否かに関わらずＲＢも終了する。
【００８３】
以下、本実施例の内部抽選について説明する。内部抽選は、上記した各役への入賞を許容するか否かを、全てのリール２Ｌ、２Ｃ、２Ｒの表示結果が導出表示される以前に（実際には、スタートスイッチ７の検出時）決定するものである。内部抽選では、まず、内部抽選用の乱数（０〜６５５３５の整数）が取得される。そして、遊技状態及び特別役の持ち越しの有無に応じて定められた各役について、取得した内部抽選用の乱数と、遊技状態、賭数及び設定値に応じて定められた各役の判定値数に応じて行われる。
【００８４】
本実施例では、図６に示すように、遊技状態が、ＲＴ（０）であるか、ＲＴ（１）であるか、ＲＴ（２）であるか、ＲＴ（３）であるか、ＲＢであるか、によって内部抽選の対象となる役が異なる。
【００８５】
遊技状態がＲＴ（０）であれば、ＢＢ（１）、ＢＢ（１）＋リプレイ（１）、ＢＢ（１）＋リプレイ（２）、ＢＢ（１）＋スイカ、ＢＢ（１）＋チェリー、ＢＢ（２）、ＢＢ（２）＋リプレイ（１）、ＢＢ（２）＋リプレイ（２）、ＢＢ（２）＋スイカ、ＢＢ（２）＋チェリー、ＢＢ（３）、ＢＢ（３）＋リプレイ（１）、ＢＢ（３）＋リプレイ（２）、ＢＢ（３）＋スイカ、ＢＢ（３）＋チェリー、リプレイ（１）、リプレイＧＲ（１）（リプレイ（２）＋リプレイ（３）＋リプレイ（４）＋リプレイ（７））、リプレイＧＲ（２）（リプレイ（２）＋リプレイ（３）＋リプレイ（５）＋リプレイ（８））、リプレイＧＲ（３）（リプレイ（２）＋リプレイ（３）＋リプレイ（４）＋リプレイ（６））、リプレイＧＲ（４）（リプレイ（２）＋リプレイ（４）＋リプレイ（５）＋リプレイ（８））、リプレイＧＲ（５）（リプレイ（２）＋リプレイ（３）＋リプレイ（５）＋リプレイ（６））、リプレイＧＲ（６）（リプレイ（２）＋リプレイ（４）＋リプレイ（５）＋リプレイ（７））、スイカ、チェリー、ベル、小役ＧＲ（１）（ベル＋小役（１））、小役ＧＲ（２）（ベル＋小役（２））、小役ＧＲ（３）（ベル＋小役（３））、小役ＧＲ（４）（ベル＋小役（４））、小役ＧＲ（５）（ベル＋小役（５））、小役ＧＲ（６）（ベル＋小役（６））、小役ＧＲ（７）（ベル＋小役（７））、小役ＧＲ（８）（ベル＋小役（８））、小役ＧＲ（９）（ベル＋小役（９））が内部抽選の対象役として順に読み出される。
【００８６】
遊技状態がＲＴ（１）であれば、ＢＢ（１）、ＢＢ（１）＋リプレイ（１）、ＢＢ（１）＋リプレイ（２）、ＢＢ（１）＋スイカ、ＢＢ（１）＋チェリー、ＢＢ（２）、ＢＢ（２）＋リプレイ（１）、ＢＢ（２）＋リプレイ（２）、ＢＢ（２）＋スイカ、ＢＢ（２）＋チェリー、ＢＢ（３）、ＢＢ（３）＋リプレイ（１）、ＢＢ（３）＋リプレイ（２）、ＢＢ（３）＋スイカ、ＢＢ（３）＋チェリー、リプレイＧＲ（１）、リプレイＧＲ（２）、リプレイＧＲ（３）、リプレイＧＲ（４）、リプレイＧＲ（５）、リプレイＧＲ（６）、リプレイＧＲ（７）（リプレイ（９）＋リプレイ（１０））、スイカ、チェリー、ベル、小役ＧＲ（１）、小役ＧＲ（２）、小役ＧＲ（３）、小役ＧＲ（４）、小役ＧＲ（５）、小役ＧＲ（６）、小役ＧＲ（７）、小役ＧＲ（８）、小役ＧＲ（９）が内部抽選の対象役として順に読み出される。
【００８７】
遊技状態がＲＴ（２）であれば、ＢＢ（１）、ＢＢ（１）＋リプレイ（１）、ＢＢ（１）＋リプレイ（２）、ＢＢ（１）＋スイカ、ＢＢ（１）＋チェリー、ＢＢ（２）、ＢＢ（２）＋リプレイ（１）、ＢＢ（２）＋リプレイ（２）、ＢＢ（２）＋スイカ、ＢＢ（２）＋チェリー、ＢＢ（３）、ＢＢ（３）＋リプレイ（１）、ＢＢ（３）＋リプレイ（２）、ＢＢ（３）＋スイカ、ＢＢ（３）＋チェリー、リプレイ（１）、リプレイ（２）、スイカ、チェリー、ベル、小役ＧＲ（１）、小役ＧＲ（２）、小役ＧＲ（３）、小役ＧＲ（４）、小役ＧＲ（５）、小役ＧＲ（６）、小役ＧＲ（７）、小役ＧＲ（８）、小役ＧＲ（９）が内部抽選の対象役として順に読み出される。
【００８８】
遊技状態がＲＴ（３）であれば、リプレイ（１）、リプレイ（２）、スイカ、チェリー、ベル、小役ＧＲ（１）、小役ＧＲ（２）、小役ＧＲ（３）、小役ＧＲ（４）、小役ＧＲ（５）、小役ＧＲ（６）、小役ＧＲ（７）、小役ＧＲ（８）、小役ＧＲ（９）が内部抽選の対象役として順に読み出される。
【００８９】
遊技状態がＲＢであれば、リプレイ（２）、リプレイＧＲ（１）、リプレイＧＲ（２）、リプレイＧＲ（３）、リプレイＧＲ（４）、リプレイＧＲ（５）、リプレイＧＲ（６）、リプレイＧＲ（７）、小役（１０）が内部抽選の対象役として順に読み出される。
【００９０】
内部抽選では、内部抽選の対象となる役、現在の遊技状態及び設定値に対応して定められた判定値数を、内部抽選用の乱数に順次加算し、加算の結果がオーバーフローしたときに、当該役に当選したものと判定される。このため、判定値数の大小に応じた確率（判定値数／６５５３６）で役が当選することとなる。
【００９１】
そして、いずれかの役の当選が判定された場合には、当選が判定された役に対応する当選フラグをＲＡＭ４１ｃに割り当てられた内部当選フラグ格納ワークに設定する。内部当選フラグ格納ワークは、２バイトの格納領域にて構成されており、そのうちの上位バイトが、特別役の当選フラグが設定される特別役格納ワークとして割り当てられ、下位バイトが、一般役の当選フラグが設定される一般役格納ワークとして割り当てられている。詳しくは、特別役が当選した場合には、当該特別役が当選した旨を示す特別役の当選フラグを特別役格納ワークに設定し、一般役格納ワークに設定されている当選フラグをクリアする。また、一般役が当選した場合には、当該一般役が当選した旨を示す一般役の当選フラグを一般役格納ワークに設定する。尚、いずれの役及び役の組合せにも当選しなかった場合には、一般役格納ワークのみクリアする。
【００９２】
次に、リール２Ｌ、２Ｃ、２Ｒの停止制御について説明する。
【００９３】
メインＣＰＵ４１ａは、リールの回転が開始したとき、及びリールが停止し、かつ未だ回転中のリールが残っているときに、ＲＯＭ４１ｂに格納されているテーブルインデックス及びテーブル作成用データを参照して、回転中のリール別に停止制御テーブルを作成する。そして、ストップスイッチ８Ｌ、８Ｃ、８Ｒのうち、回転中のリールに対応するいずれかの操作が有効に検出されたときに、該当するリールの停止制御テーブルを参照し、参照した停止制御テーブルの滑りコマ数に基づいて、操作されたストップスイッチ８Ｌ、８Ｃ、８Ｒに対応するリール２Ｌ、２Ｃ、２Ｒの回転を停止させる制御を行う。
【００９４】
テーブルインデックスには、内部抽選による当選フラグの設定状態（以下、内部当選状態と呼ぶ）別に、テーブルインデックスを参照する際の基準アドレスから、テーブル作成用データが格納された領域の先頭アドレスを示すインデックスデータが格納されているアドレスまでの差分が登録されている。これにより内部当選状態に応じた差分を取得し、基準アドレスに対してその差分を加算することで該当するインデックスデータを取得することが可能となる。尚、役の当選状況が異なる場合でも、同一の制御が適用される場合においては、インデックスデータとして同一のアドレスが格納されており、このような場合には、同一のテーブル作成用データを参照して、停止制御テーブルが作成されることとなる。
【００９５】
テーブル作成用データは、停止操作位置に応じた滑りコマ数を示す停止制御テーブルと、リールの停止状況に応じて参照すべき停止制御テーブルのアドレスと、からなる。
【００９６】
リールの停止状況に応じて参照される停止制御テーブルは、全てのリールが回転しているか、左リールのみ停止しているか、中リールのみ停止しているか、右リールのみ停止しているか、左、中リールが停止しているか、左、右リールが停止しているか、中、右リールが停止しているか、によって異なる場合があり、更に、いずれかのリールが停止している状況においては、停止済みのリールの停止位置によっても異なる場合があるので、それぞれの状況について、参照すべき停止制御テーブルのアドレスが回転中のリール別に登録されており、テーブル作成用データの先頭アドレスに基づいて、それぞれの状況に応じて参照すべき停止制御テーブルのアドレスが特定可能とされ、この特定されたアドレスから、それぞれの状況に応じて必要な停止制御テーブルを特定できるようになっている。尚、リールの停止状況や停止済みのリールの停止位置が異なる場合でも、同一の停止制御テーブルが適用される場合においては、停止制御テーブルのアドレスとして同一のアドレスが登録されているものもあり、このような場合には、同一の停止制御テーブルが参照されることとなる。
【００９７】
停止制御テーブルは、停止操作が行われたタイミング別の滑りコマ数を特定可能なデータである。本実施例では、リールモータ３２Ｌ、３２Ｃ、３２Ｒに、１６８ステップ（０〜１６７）の周期で１周するステッピングモータを用いている。すなわちリールモータ３２Ｌ、３２Ｃ、３２Ｒを１６８ステップ駆動させることでリール２Ｌ、２Ｃ、２Ｒが１周することとなる。そして、リール１周に対して８ステップ（１図柄が移動するステップ数）毎に分割した２１の領域（コマ）が定められており、これらの領域には、リール基準位置から０〜２０の領域番号が割り当てられている。一方、１リールに配列された図柄数も２１であり、各リールの図柄に対して、リール基準位置から０〜２０の図柄番号が割り当てられているので、０番図柄から２０番図柄に対して、それぞれ０〜２０の領域番号が順に割り当てられていることとなる。そして、停止制御テーブルには、領域番号別の滑りコマ数が所定のルールで圧縮して格納されており、停止制御テーブルを展開することによって領域番号別の滑りコマ数を取得できるようになっている。
【００９８】
前述のようにテーブルインデックス及びテーブル作成用データを参照して作成される停止制御テーブルは、領域番号に対応して、各領域番号に対応する領域が停止基準位置（本実施例では、透視窓３の下段図柄の領域）に位置するタイミング（リール基準位置からのステップ数が各領域番号のステップ数の範囲に含まれるタイミング）でストップスイッチ８Ｌ、８Ｃ、８Ｒの操作が検出された場合の滑りコマ数がそれぞれ設定されたテーブルである。
【００９９】
次に、停止制御テーブルの作成手順について説明すると、まず、リール回転開始時においては、そのゲームの内部当選状態に応じたテーブル作成用データの先頭アドレスを取得する。具体的には、まずテーブルインデックスを参照し、内部当選状態に対応するインデックスデータを取得し、そして取得したインデックスデータに基づいてテーブル作成用データを特定し、特定したテーブル作成用データから全てのリールが回転中の状態に対応する各リールの停止制御テーブルのアドレスを取得し、取得したアドレスに格納されている各リールの停止制御テーブルを展開して全てのリールについて停止制御テーブルを作成する。
【０１００】
また、いずれか１つのリールが停止したとき、またはいずれか２つのリールが停止したときには、リール回転開始時に取得したインデックスデータ、すなわちそのゲームの内部当選状態に応じたテーブル作成用データの先頭アドレスに基づいてテーブル作成用データを特定し、特定したテーブル作成用データから停止済みのリール及び当該リールの停止位置の領域番号に対応する未停止リールの停止制御テーブルのアドレスを取得し、取得したアドレスに格納されている各リールの停止制御テーブルを展開して未停止のリールについて停止制御テーブルを作成する。
【０１０１】
次に、メインＣＰＵ４１ａがストップスイッチ８Ｌ、８Ｃ、８Ｒのうち、回転中のリールに対応するいずれかの操作を有効に検出したときに、該当するリールに表示結果を導出させる際の制御について説明すると、ストップスイッチ８Ｌ、８Ｃ、８Ｒのうち、回転中のリールに対応するいずれかの操作を有効に検出すると、停止操作を検出した時点のリール基準位置からのステップ数に基づいて停止操作位置の領域番号を特定し、停止操作が検出されたリールの停止制御テーブルを参照し、特定した停止操作位置の領域番号に対応する滑りコマ数を取得する。そして、取得した滑りコマ数分リールを回転させて停止させる制御を行う。具体的には、停止操作を検出した時点のリール基準位置からのステップ数から、取得した滑りコマ数引き込んで停止させるまでのステップ数を算出し、算出したステップ数分リールを回転させて停止させる制御を行う。これにより、停止操作が検出された停止操作位置の領域番号に対応する領域から滑りコマ数分先の停止位置となる領域番号に対応する領域が停止基準位置（本実施例では、透視窓３の下段図柄の領域）に停止することとなる。
【０１０２】
本実施例のテーブルインデックスには、一の遊技状態における一の内部当選状態に対応するインデックスデータとして１つのアドレスのみが格納されており、更に、一のテーブル作成用データには、一のリールの停止状況（及び停止済みのリールの停止位置）に対応する停止制御テーブルの格納領域のアドレスとして１つのアドレスのみが格納されている。すなわち一の遊技状態における一の内部当選状態に対応するテーブル作成用データ、及びリールの停止状況（及び停止済みのリールの停止位置）に対応する停止制御テーブルが一意的に定められており、これらを参照して作成される停止制御テーブルも、一の遊技状態における一の内部当選状態、及びリールの停止状況（及び停止済みのリールの停止位置）に対して一意となる。このため、遊技状態、内部当選状態、リールの停止状況（及び停止済みのリールの停止位置）の全てが同一条件となった際に、同一の停止制御テーブル、すなわち同一の制御パターンに基づいてリールの停止制御が行われることとなる。
【０１０３】
また、本実施例では、滑りコマ数として０〜４の値が定められており、停止操作を検出してから最大４コマを引き込んでリールを停止させることが可能である。すなわち停止操作を検出した停止操作位置を含め、最大５コマの範囲から図柄の停止位置を指定できるようになっている。また、１図柄分リールを移動させるのに１コマの移動が必要であるので、停止操作を検出してから最大４図柄を引き込んでリールを停止させることが可能であり、停止操作を検出した停止操作位置を含め、最大５図柄の範囲から図柄の停止位置を指定できることとなる。
【０１０４】
本実施例では、いずれかの役に当選している場合には、当選役をいずれかの入賞ライン上に４コマの範囲で最大限引き込み、当選していない役がいずれの入賞ライン上に揃わないように引き込む滑りコマ数が定められた停止制御テーブルを作成し、リールの停止制御を行う一方、いずれの役にも当選していない場合には、いずれの役も入賞ライン上に揃わない滑りコマ数が定められた停止制御テーブルを作成し、リールの停止制御を行う。これにより、停止操作が行われた際に、いずれかの入賞ライン上に最大４コマの引込範囲で当選している役を揃えて停止させることができれば、これを揃えて停止させる制御が行われ、当選していない役は、最大４コマの引込範囲でハズシて停止させる制御が行われることとなる。
【０１０５】
特別役が前ゲーム以前から持ち越されている状態で小役が当選した場合や特別役が持ち越されていない状態で特別役と小役が同時に当選した場合など、特別役と小役が同時に当選している場合には、当選した小役を入賞ラインに４コマの範囲で最大限に引き込むように滑りコマ数が定められているとともに、当選した小役を入賞ラインに最大４コマの範囲で引き込めない停止操作位置については、当選した特別役を入賞ラインに４コマの範囲で最大限に引き込むように滑りコマ数が定められた停止制御テーブルを作成し、リールの停止制御を行う。これにより、停止操作が行われた際に、入賞ライン上に最大４コマの引込範囲で当選している小役を揃えて停止させることができれば、これを揃えて停止させる制御が行われ、入賞ライン上に最大４コマの引込範囲で当選している小役を引き込めない場合には、入賞ライン上に最大４コマの引込範囲で当選している特別役を揃えて停止させることができれば、これを揃えて停止させる制御が行われ、当選していない役は、４コマの引込範囲でハズシて停止させる制御が行われることとなる。すなわちこのような場合には、特別役よりも小役を入賞ライン上に揃える制御が優先され、小役を引き込めない場合にのみ、特別役を有効させることが可能となる。
【０１０６】
尚、本実施例では、特別役と小役が同時に当選している場合に、特別役よりも小役を入賞ライン上に揃える制御が優先され、小役を引き込めない場合にのみ、特別役を入賞させることが可能となる構成であるが、小役よりも特別役を入賞ライン上に揃える制御が優先され、特別役を引き込めない場合にのみ、小役を入賞させることが可能となる構成としても良い。
【０１０７】
特別役が前ゲーム以前から持ち越されている状態で再遊技役が当選した場合や特別役が持ち越されていない状態で特別役と再遊技役が同時に当選した場合など、特別役と再遊技役が同時に当選している場合には、停止操作が行われた際に、入賞ライン上に最大４コマの引込範囲で再遊技役の図柄を揃えて停止させる制御が行われる。尚、この場合、再遊技役を構成する図柄は、リール２Ｌ、２Ｃ、２Ｒのいずれについても５図柄以内、すなわち４コマ以内の間隔で配置されており、４コマの引込範囲で必ず任意の位置に停止させることができるので、特別役と再遊技役が同時に当選している場合には、遊技者によるストップスイッチ８Ｌ、８Ｃ、８Ｒの操作タイミングに関わらずに、必ず再遊技役が揃って入賞することとなる。すなわちこのような場合には、特別役よりも再遊技役を入賞ライン上に揃える制御が優先され、必ず再遊技役が入賞することとなる。
【０１０８】
複数種類の再遊技役が同時に当選している場合（リプレイＧＲ（１）〜（７））には、図７に示すように、リールの停止順や停止操作のタイミングに応じて当選している再遊技役のいずれかを入賞ライン上に停止させる制御を行う。
【０１０９】
リプレイＧＲ（１）（リプレイ（２）＋リプレイ（３）＋リプレイ（４）＋リプレイ（７））が当選している場合には、左−中−右の順番で停止操作を行った場合に、リプレイ（２）を入賞ライン上に停止させる制御が行われ、左−中−右以外の順番で停止操作を行った場合に、リプレイ（３）、リプレイ（４）、リプレイ（７）のいずれかを入賞ライン上に停止させる制御が行われる。
【０１１０】
リプレイＧＲ（２）（リプレイ（２）＋リプレイ（３）＋リプレイ（５）＋リプレイ（８））が当選している場合には、左−右−中の順番で停止操作を行った場合に、リプレイ（２）を入賞ライン上に停止させる制御が行われ、左−右−中以外の順番で停止操作を行った場合に、リプレイ（３）、リプレイ（５）、リプレイ（８）のいずれかを入賞ライン上に停止させる制御が行われる。
【０１１１】
リプレイＧＲ（３）（リプレイ（２）＋リプレイ（３）＋リプレイ（４）＋リプレイ（６））が当選している場合には、中−左−右の順番で停止操作を行った場合に、リプレイ（２）を入賞ライン上に停止させる制御が行われ、中−左−右以外の順番で停止操作を行った場合に、リプレイ（３）、リプレイ（４）、リプレイ（６）のいずれかを入賞ライン上に停止させる制御が行われる。
【０１１２】
リプレイＧＲ（４）（リプレイ（２）＋リプレイ（４）＋リプレイ（５）＋リプレイ（８））が当選している場合には、中−右−左の順番で停止操作を行った場合に、リプレイ（２）を入賞ライン上に停止させる制御が行われ、中−右−左以外の順番で停止操作を行った場合に、リプレイ（４）、リプレイ（５）、リプレイ（８）のいずれかを入賞ライン上に停止させる制御が行われる。
【０１１３】
リプレイＧＲ（５）（リプレイ（２）＋リプレイ（３）＋リプレイ（５）＋リプレイ（６））が当選している場合には、右−左−中の順番で停止操作を行った場合に、リプレイ（２）を入賞ライン上に停止させる制御が行われ、右−左−中以外の順番で停止操作を行った場合に、リプレイ（３）、リプレイ（５）、リプレイ（６）のいずれかを入賞ライン上に停止させる制御が行われる。
【０１１４】
リプレイＧＲ（６）（リプレイ（２）＋リプレイ（４）＋リプレイ（５）＋リプレイ（７））が当選している場合には、右−中−左の順番で停止操作を行った場合に、リプレイ（２）を入賞ライン上に停止させる制御が行われ、右−中−左以外の順番で停止操作を行った場合に、リプレイ（４）、リプレイ（５）、リプレイ（７）のいずれかを入賞ライン上に停止させる制御が行われる。
【０１１５】
リプレイＧＲ（７）（リプレイ（９）＋リプレイ（１０））が当選している場合には、停止操作の順番に関わらず中リールにおいて「白７」の引込範囲内となるタイミングで停止操作が行われた場合に、リプレイ（１０）を入賞ライン上に停止させる制御が行われ、中リールにおいて「白７」の引込範囲内となるタイミングで停止操作が行われた場合に、リプレイ（９）を入賞ライン上に停止させる制御が行われる。また、左リールにおいて５番の「プラム」を上段に引込可能な範囲で停止し、中リールにおいて「白７」を中段に引込可能な範囲で停止し、右リールにおいて３番の「ベル」を下段に引込可能な範囲で停止することで、「白７−白７−白７」の組合せを右上がりの一直線上のライン（入賞ラインＬ２）上に揃える制御が行われる。
【０１１６】
このように本実施例では、リプレイＧＲ（１）が当選した場合と、リプレイＧＲ（２）が当選した場合と、リプレイＧＲ（３）が当選した場合と、リプレイＧＲ（４）が当選した場合と、リプレイＧＲ（５）が当選した場合と、リプレイＧＲ（６）が当選した場合と、でリプレイ（２）が入賞ラインに停止することとなる停止順及びリプレイ（３）〜（８）のいずれかが停止する停止順が異なる。このため、リプレイＧＲ（１）〜（６）が当選している場合において、どれが当選しているかが分からなければ、１／６の割合でリプレイ（２）が入賞し、５／６の割合でリプレイ（３）〜（８）のいずれかが入賞することとなる。
【０１１７】
また、リプレイＧＲ（７）が当選した場合には、全てのリールに「白７」を狙って停止操作を行うことにより、「白７−白７−白７」の組合せを右上がりの一直線上のライン（入賞ラインＬ２）に揃い、かつリプレイ（１０）も入賞することとなる。
【０１１８】
複数種類の小役が同時に当選している場合（小役ＧＲ（１）〜（９））には、図７に示すように、第１停止リールに応じて異なる図柄の組合せを入賞ラインに停止させる制御を行う。
【０１１９】
小役ＧＲ（１）（ベル＋小役（１））が当選している場合には、左リールを第１停止とした場合に、ベルを入賞ライン上に停止させる制御が行われ、中リールまたは右リールを第１停止とした場合に、その後、左リールの停止操作が「黒７」の引込範囲（１１〜１７番のタイミング）内で行われた場合には、小役（１）を入賞ライン上に停止させる制御が行われ、左リールの停止操作が「黒７」の引込範囲外で行われた場合には、移行出目（１）（「ブドウ−リプレイ−チェリー」の組合せ）または移行出目（２）（「ブドウ−オレンジ−ブドウ」の組合せ）を入賞ライン上に停止させる制御が行われる。
【０１２０】
小役ＧＲ（２）（ベル＋小役（２））が当選している場合には、左リールを第１停止とした場合に、ベルを入賞ライン上に停止させる制御が行われ、中リールまたは右リールを第１停止とした場合に、その後、左リールの停止操作が「白７」の引込範囲（１８〜２０、０〜３番のタイミング）内で行われた場合には、小役（２）を入賞ライン上に停止させる制御が行われ、左リールの停止操作が「白７」の引込範囲外で行われた場合には、移行出目（１）または移行出目（２）を入賞ライン上に停止させる制御が行われる。
【０１２１】
小役ＧＲ（３）（ベル＋小役（３））が当選している場合には、左リールを第１停止とした場合に、ベルを入賞ライン上に停止させる制御が行われ、中リールまたは右リールを第１停止とした場合に、その後、左リールの停止操作が「ＢＡＲ」の引込範囲（４〜１０番のタイミング）内で行われた場合には、小役（３）を入賞ライン上に停止させる制御が行われ、左リールの停止操作が「ＢＡＲ」の引込範囲外で行われた場合には、移行出目（１）または移行出目（２）を入賞ライン上に停止させる制御が行われる。
【０１２２】
小役ＧＲ（４）（ベル＋小役（４））が当選している場合には、中リールを第１停止とした場合に、ベルを入賞ライン上に停止させる制御が行われ、左リールまたは右リールを第１停止とした場合に、その後、中リールの停止操作が「黒７」の引込範囲（１３〜１７番のタイミング）内で行われた場合には、小役（４）を入賞ライン上に停止させる制御が行われ、中リールの停止操作が「黒７」の引込範囲外で行われた場合には、移行出目（１）または移行出目（２）を入賞ライン上に停止させる制御が行われる。
【０１２３】
小役ＧＲ（５）（ベル＋小役（５））が当選している場合には、中リールを第１停止とした場合に、ベルを入賞ライン上に停止させる制御が行われ、左リールまたは右リールを第１停止とした場合に、その後、中リールの停止操作が「白７」の引込範囲（０〜４番のタイミング）内で行われた場合には、小役（５）を入賞ライン上に停止させる制御が行われ、中リールの停止操作が「白７」の引込範囲外で行われた場合には、移行出目（１）または移行出目（２）を入賞ライン上に停止させる制御が行われる。
【０１２４】
小役ＧＲ（６）（ベル＋小役（６））が当選している場合には、中リールを第１停止とした場合に、ベルを入賞ライン上に停止させる制御が行われ、左リールまたは右リールを第１停止とした場合に、その後、中リールの停止操作が「ＢＡＲ」の引込範囲（７〜１１番のタイミング）内で行われた場合には、小役（６）を入賞ライン上に停止させる制御が行われ、中リールの停止操作が「ＢＡＲ」の引込範囲外で行われた場合には、移行出目（１）または移行出目（２）を入賞ライン上に停止させる制御が行われる。
【０１２５】
小役ＧＲ（７）（ベル＋小役（７））が当選している場合には、右リールを第１停止とした場合に、ベルを入賞ライン上に停止させる制御が行われ、左リールまたは中リールを第１停止とした場合に、その後、右リールの停止操作が「黒７」の引込範囲（１３〜１９番のタイミング）内で行われた場合には、小役（７）を入賞ライン上に停止させる制御が行われ、右リールの停止操作が「黒７」の引込範囲外で行われた場合には、移行出目（１）または移行出目（２）を入賞ライン上に停止させる制御が行われる。
【０１２６】
小役ＧＲ（８）（ベル＋小役（８））が当選している場合には、右リールを第１停止とした場合に、ベルを入賞ライン上に停止させる制御が行われ、左リールまたは中リールを第１停止とした場合に、その後、右リールの停止操作が「白７」の引込範囲（２０、０〜５番のタイミング）内で行われた場合には、小役（８）を入賞ライン上に停止させる制御が行われ、右リールの停止操作が「白７」の引込範囲外で行われた場合には、移行出目（１）または移行出目（２）を入賞ライン上に停止させる制御が行われる。
【０１２７】
小役ＧＲ（９）（ベル＋小役（９））が当選している場合には、右リールを第１停止とした場合に、ベルを入賞ライン上に停止させる制御が行われ、左リールまたは中リールを第１停止とした場合に、その後、右リールの停止操作が「ＢＡＲ」の引込範囲（６〜１２番のタイミング）内で行われた場合には、小役（９）を入賞ライン上に停止させる制御が行われ、右リールの停止操作が「ＢＡＲ」の引込範囲外で行われた場合には、移行出目（１）または移行出目（２）を入賞ライン上に停止させる制御が行われる。
【０１２８】
このように本実施例では、小役ＧＲ（１）〜（３）が当選した場合には、左リールを第１停止とすることで、ベルを必ず入賞させることが可能であり、左リール以外のリールを第１停止とした場合には、小役ＧＲ（１）の当選時には「黒７」、小役ＧＲ（２）の当選時には「白７」、小役ＧＲ（３）の当選時には「ＢＡＲ」の引込範囲となるタイミングでそれぞれ左リールの停止操作を行うことで当選している小役（１）〜（３）を入賞させることはできるが、それ以外のタイミングで左リールの停止操作を行うといずれの小役も入賞することがない。
【０１２９】
また、小役ＧＲ（４）〜（６）が当選した場合には、中リールを第１停止とすることで、ベルを必ず入賞させることが可能であり、中リール以外のリールを第１停止とした場合には、小役ＧＲ（４）の当選時には「黒７」、小役ＧＲ（５）の当選時には「白７」、小役ＧＲ（６）の当選時には「ＢＡＲ」の引込範囲となるタイミングでそれぞれ中リールの停止操作を行うことで当選している小役（４）〜（６）を入賞させることはできるが、それ以外のタイミングで中リールの停止操作を行うといずれの小役も入賞することがない。
【０１３０】
また、小役ＧＲ（７）〜（９）が当選した場合には、右リールを第１停止とすることで、ベルを必ず入賞させることが可能であり、右リール以外のリールを第１停止とした場合には、小役ＧＲ（７）の当選時には「黒７」、小役ＧＲ（８）の当選時には「白７」、小役ＧＲ（９）の当選時には「ＢＡＲ」の引込範囲となるタイミングでそれぞれ右リールの停止操作を行うことで当選している小役（７）〜（９）を入賞させることはできるが、それ以外のタイミングで右リールの停止操作を行うといずれの小役も入賞することがない。
【０１３１】
図３に示すように「ベル」は、左、右リールにおいて６コマ以内の間隔で配置され、中リールにおいて４コマ以内の間隔で配置されており、停止操作のタイミングに関わらず必ず入賞ラインに停止させることが可能であり、小役ＧＲ（１）〜（３）が当選し、左リールを第１停止とした場合、小役ＧＲ（４）〜（６）が当選し、中リールを第１停止とした場合、小役ＧＲ（７）〜（９）が当選し、右リールを第１停止とした場合には、それぞれ、２１／２１（「ベル」の引込可能な停止操作位置／停止操作位置の総数）の割合でベルが入賞するため、この場合の払出期待値（９×２１／２１）は、９枚となる。一方、図３に示すように「黒７」「白７」「ＢＡＲ」は、左、右リールにおいて６コマを超える間隔で配置され、中リールにおいて４コマを超える間隔で配置されており、意図的に入賞ラインに停止させることはできないので、小役ＧＲ（１）〜（３）が当選し、左リール以外のリールを第１停止とした場合、小役ＧＲ（７）〜（９）が当選し、右リール以外のリールを第１停止とした場合には、７／２１の割合で小役（１）〜（３）（７）〜（９）を入賞させることができるが、１４／２１の割合でいずれの小役も入賞させることができないため、この場合の払出期待値（９×７／２１）は、３枚となり、小役ＧＲ（４）〜（６）が当選し、中リール以外のリールを第１停止とした場合には、５／２１の割合で小役（４）〜（６）を入賞させることができるが、１６／２１の割合でいずれの小役も入賞させることができないため、この場合の払出期待値（９×５／２１）は、約２．１４枚となる。
【０１３２】
このため、小役ＧＲ（１）〜（３）が当選した場合には、左リールを第１停止とした場合に、小役ＧＲ（４）〜（６）が当選した場合には、中リールを第１停止とした場合に、小役ＧＲ（７）〜（９）が当選した場合には、右リールを第１停止とした場合に、それぞれ他のリールを第１停止とした場合よりも払出期待値が高く、より多くのメダルを獲得することが可能となる。すなわち小役ＧＲ（１）〜（３）が当選したか、小役ＧＲ（４）〜（６）が当選したか、小役ＧＲ（７）〜（９）が当選したか、に応じて払出期待値の高い第１停止リールが異なる。
【０１３３】
また、小役ＧＲ（１）〜（９）のいずれかが当選した場合でも、その種類が分からなければ意図的に払出期待値の高い第１停止リールを選択することはできず、１／３の割合で払出期待値の高い第１停止リールが選択され、２／３の割合で払出期待値の低い第１停止リールが選択されるので、小役（１）〜（３）（７）〜（９）のいずれかが当選した場合の払出期待値（（９×２１／２１）×１／３＋（９×７／２１）×２／３）は、５枚となり、小役（４）〜（６）のいずれかが当選した場合の払出期待値（（９×２１／２１）×１／３＋（９×５／２１）×２／３）は、約４．４３枚となる。
【０１３４】
また、小役ＧＲ（１）〜（９）のいずれかが当選した場合に、その種類が分からなければ意図的にベルが入賞する第１停止リールを選択することも、ベルが入賞しない第１停止リールを選択し、かつ小役（１）〜（９）が入賞するタイミングまたは移行出目（１）（２）が停止するタイミングを選択することもできず、１／３の割合でベルが入賞する第１停止リールが選択され、２／３の割合でベルが入賞しない第１停止リールが選択され、そのうち約１／３の割合で小役（１）〜（９）のいずれかが入賞するタイミングが選択され、約２／３の割合で移行出目（１）（２）が停止するタイミングが選択されるので、約２／９の割合で小役（１）〜（９）のいずれかが入賞し、約４／９の割合で移行出目（１）（２）が停止することとなる。
【０１３５】
本実施例においてメインＣＰＵ４１ａは、リール２Ｌ、２Ｃ、２Ｒの回転が開始した後、ストップスイッチ８Ｌ、８Ｃ、８Ｒの操作が検出されるまで、停止操作が未だ検出されていないリールの回転を継続し、ストップスイッチ８Ｌ、８Ｃ、８Ｒの操作が検出されたことを条件に、対応するリールに表示結果を停止させる制御を行うようになっている。尚、リール回転エラーの発生により、一時的にリールの回転が停止した場合でも、その後リール回転が再開した後、ストップスイッチ８Ｌ、８Ｃ、８Ｒの操作が検出されるまで、停止操作が未だ検出されていないリールの回転を継続し、ストップスイッチ８Ｌ、８Ｃ、８Ｒの操作が検出されたことを条件に、対応するリールに表示結果を停止させる制御を行うようになっている。
【０１３６】
尚、本実施例では、ストップスイッチ８Ｌ、８Ｃ、８Ｒの操作が検出されたことを条件に、対応するリールに表示結果を停止させる制御を行うようになっているが、リールの回転が開始してから、予め定められた自動停止時間が経過した場合に、リールの停止操作がなされない場合でも、停止操作がなされたものとみなして自動的に各リールを停止させる自動停止制御を行うようにしても良い。この場合には、遊技者の操作を介さずにリールが停止することとなるため、例え、いずれかの役が当選している場合でもいずれの役も構成しない表示結果を導出させることが好ましい。
【０１３７】
次に、メインＣＰＵ４１ａが演出制御基板９０に対して送信するコマンドについて説明する。
【０１３８】
本実施例では、メインＣＰＵ４１ａが演出制御基板９０に対して、ＢＥＴコマンド、クレジットコマンド、内部当選コマンド、リール回転開始コマンド、リール停止コマンド、入賞判定コマンド、払出開始コマンド、払出終了コマンド、遊技状態コマンド、待機コマンド、打止コマンド、エラーコマンド、復帰コマンド、設定開始コマンド、確認開始コマンド、確認終了コマンド、操作検出コマンドを含む複数種類のコマンドを送信する。
【０１３９】
これらコマンドは、コマンドの種類を示す１バイトの種類データとコマンドの内容を示す１バイトの拡張データとからなり、サブＣＰＵ９１ａは、種類データからコマンドの種類を判別できるようになっている。
【０１４０】
ＢＥＴコマンドは、メダルの投入枚数、すなわち賭数の設定に使用されたメダル枚数を特定可能なコマンドであり、ゲーム終了後（設定変更後）からゲーム開始までの状態であり、規定数の賭数が設定されていない状態において、メダルが投入されるか、１枚ＢＥＴスイッチ５またはＭＡＸＢＥＴスイッチ６が操作されて賭数が設定されたときに送信される。また、ＢＥＴコマンドは、賭数の設定操作がなされたときに送信されるので、ＢＥＴコマンドを受信することで賭数の設定操作がなされたことを特定可能である。
【０１４１】
クレジットコマンドは、クレジットとして記憶されているメダル枚数を特定可能なコマンドであり、ゲーム終了後（設定変更後）からゲーム開始までの状態であり、規定数の賭数が設定されている状態において、メダルが投入されてクレジットが加算されたときに送信される。
【０１４２】
内部当選コマンドは、内部当選フラグの当選状況、並びに成立した内部当選フラグの種類を特定可能なコマンドであり、スタートスイッチ７が操作されてゲームが開始したときに送信される。また、内部当選コマンドは、スタートスイッチ７が操作されたときに送信されるので、内部当選コマンドを受信することでスタートスイッチ７が操作されたことを特定可能である。
【０１４３】
リール回転開始コマンドは、リールの回転の開始を通知するコマンドであり、リール２Ｌ、２Ｃ、２Ｒの回転が開始されたときに送信される。
【０１４４】
リール停止コマンドは、停止するリールが左リール、中リール、右リールのいずれかであるか、該当するリールの停止操作位置の領域番号、該当するリールの停止位置の領域番号、を特定可能なコマンドであり、各リールの停止操作に伴う停止制御が行われる毎に送信される。また、リール停止コマンドは、ストップスイッチ８Ｌ、８Ｃ、８Ｒが操作されたときに送信されるので、リール停止コマンドを受信することでストップスイッチ８Ｌ、８Ｃ、８Ｒが操作されたことを特定可能である。
【０１４５】
入賞判定コマンドは、入賞の有無、並びに入賞の種類、入賞時のメダルの払出枚数を特定可能なコマンドであり、全リールが停止して入賞判定が行われた後に送信される。
【０１４６】
払出開始コマンドは、メダルの払出開始を通知するコマンドであり、入賞やクレジット（賭数の設定に用いられたメダルを含む）の精算によるメダルの払出が開始されたときに送信される。また、払出終了コマンドは、メダルの払出終了を通知するコマンドであり、入賞及びクレジットの精算によるメダルの払出が終了したときに送信される。
【０１４７】
遊技状態コマンドは、次ゲームの遊技状態を特定可能なコマンドであり、設定変更状態の終了時及びゲームの終了時に送信される。
【０１４８】
待機コマンドは、待機状態へ移行する旨を示すコマンドであり、１ゲーム終了後、賭数が設定されずに一定時間経過して待機状態に移行するとき、クレジット（賭数の設定に用いられたメダルを含む）の精算によるメダルの払出が終了し、払出終了コマンドが送信された後に送信される。
【０１４９】
打止コマンドは、打止状態の発生または解除を示すコマンドであり、ＢＢ終了後、エンディング演出待ち時間が経過した時点で打止状態の発生を示す打止コマンドが送信され、リセット操作がなされて打止状態が解除された時点で、打止状態の解除を示す打止コマンドが送信される。
【０１５０】
エラーコマンドは、エラー状態の発生または解除、エラー状態の種類を示すコマンドであり、エラーが判定され、エラー状態に制御された時点でエラー状態の発生及びその種類を示すエラーコマンドが送信され、リセット操作がなされてエラー状態が解除された時点で、エラー状態の解除を示すエラーコマンドが送信される。
【０１５１】
復帰コマンドは、メインＣＰＵ４１ａが電断前の制御状態に復帰した旨を示すコマンドであり、メインＣＰＵ４１ａの起動時において電断前の制御状態に復帰した際に送信される。
【０１５２】
設定開始コマンドは、設定変更状態の開始を示すコマンドであり、設定変更状態に移行する際に送信される。また、設定変更状態への移行に伴ってメインＣＰＵ４１ａの制御状態が初期化されるため、設定開始コマンドによりメインＣＰＵ４１ａの制御状態が初期化されたことを特定可能である。
【０１５３】
確認開始コマンドは、設定確認状態の開始を示すコマンドであり、設定確認状態に移行する際に送信される。確認終了コマンドは、設定確認状態の終了を示すコマンドであり、設定確認状態の終了時に送信される。
【０１５４】
操作検出コマンドは、操作スイッチ類（１枚ＢＥＴスイッチ５、ＭＡＸＢＥＴスイッチ６、スタートスイッチ７、ストップスイッチ８Ｌ、８Ｃ、８Ｒ）の検出状態（ＯＮ／ＯＦＦ）を示すコマンドであり、一定間隔毎に送信される。
【０１５５】
これらコマンドのうち設定開始コマンド、ＲＡＭ異常を示すエラーコマンド、復帰コマンドは、起動処理において割込が許可される前の段階で生成され、ＲＡＭ４１ｃの特別ワークに割り当てられた特定コマンド送信用バッファに格納され、直ちに送信される。
【０１５６】
設定開始コマンド、ＲＡＭ異常を示すエラーコマンド、復帰コマンド、操作検出コマンド以外のコマンドは、ゲーム処理においてゲームの進行状況に応じて生成され、ＲＡＭ４１ｃの特別ワークに設けられた通常コマンド送信用バッファに一時格納され、タイマ割込処理（メイン）中に実行されるコマンド送信処理において送信される。
【０１５７】
操作検出コマンドは、コマンド送信処理が５回実行される毎に生成され、前述の特定コマンド送信用バッファに格納され、直ちに送信される。また、通常コマンド送信用バッファに未送信のコマンドが格納されている状態で操作検出コマンドの送信時期に到達した場合には、操作検出コマンドの送信を優先し、通常コマンド送信用バッファに格納されている未送信のコマンドは、次回のコマンド送信処理において送信されるようになっており、１度のコマンド送信処理において複数のコマンドが送信されることがないようになっている。
【０１５８】
次に、メインＣＰＵ４１ａが演出制御基板９０に対して送信するコマンドに基づいてサブ制御部９１が実行する演出の制御について説明する。
【０１５９】
サブＣＰＵ９１ａは、メインＣＰＵ４１ａからのコマンドの送信を示すストローブ信号を入力した際に、コマンド受信割込処理を実行する。コマンド受信割込処理では、ＲＡＭ９１ｃに設けられた受信用バッファに、コマンド伝送ラインから取得したコマンドを格納する。
【０１６０】
サブＣＰＵ９１ａは、タイマ割込処理（サブ）において、受信用バッファに未処理のコマンドが格納されているか否かを判定し、未処理のコマンドが格納されている場合には、そのうち最も早い段階で受信したコマンドに基づいてＲＯＭ９１ｂに格納された制御パターンテーブルを参照し、制御パターンテーブルに登録された制御内容に基づいて液晶表示器５１、演出効果ＬＥＤ５２、スピーカ５３、５４、リールＬＥＤ５５等の各種演出装置の出力制御を行う。
【０１６１】
制御パターンテーブルには、複数種類の演出パターン毎に、コマンドの種類に対応する液晶表示器５１の表示パターン、演出効果ＬＥＤ５２の点灯態様、スピーカ５３、５４の出力態様、リールＬＥＤの点灯態様等、これら演出装置の制御パターンが登録されており、サブＣＰＵ９１ａは、コマンドを受信した際に、制御パターンテーブルの当該ゲームにおいてＲＡＭ９１ｃに設定されている演出パターンに対応して登録された制御パターンのうち、受信したコマンドの種類に対応する制御パターンを参照し、当該制御パターンに基づいて演出装置の出力制御を行う。これにより演出パターン及び遊技の進行状況に応じた演出が実行されることとなる。
【０１６２】
尚、サブＣＰＵ９１ａは、あるコマンドの受信を契機とする演出の実行中に、新たにコマンドを受信した場合には、実行中の制御パターンに基づく演出を中止し、新たに受信したコマンドに対応する制御パターンに基づく演出を実行するようになっている。すなわち演出が最後まで終了していない状態でも、新たにコマンドを受信すると、受信した新たなコマンドが新たな演出の契機となるコマンドではない場合を除いて実行していた演出はキャンセルされて新たなコマンドに基づく演出が実行されることとなる。
【０１６３】
特に、本実施例では、演出の実行中に賭数の設定操作がなされたとき、すなわちサブＣＰＵ９１ａが、賭数が設定された旨を示すＢＥＴコマンドを受信したときに、実行中の演出を中止するようになっている。このため、遊技者が、演出を最後まで見るよりも次のゲームを進めたい場合には、演出がキャンセルされ、次のゲームを開始できるので、このような遊技者に対して煩わしい思いをさせることがない。また、演出の実行中にクレジットまたは賭数の精算操作がなされたとき、すなわちサブＣＰＵ９１ａが、ゲームの終了を示す遊技状態コマンドを受信した後、ゲームの開始を示す内部当選コマンドを受信する前に、払出開始コマンドを受信した場合には、実行中の演出を中止するようになっている。クレジットや賭数の精算を行うのは、遊技を終了する場合であり、このような場合に実行中の演出を終了させることで、遊技を終了する意志があるのに、不要に演出が継続してしまわないようになっている。
【０１６４】
演出パターンは、内部当選コマンドを受信した際に、内部当選コマンドが示す内部抽選の結果に応じた選択率にて選択され、ＲＡＭ９１ｃに設定される。演出パターンの選択率は、ＲＯＭ９１ｂに格納された演出テーブルに登録されており、サブＣＰＵ９１ａは、内部当選コマンドを受信した際に、内部当選コマンドが示す内部抽選の結果に応じて演出テーブルに登録されている選択率を参照し、その選択率に応じて複数種類の演出パターンからいずれかの演出パターンを選択し、選択した演出パターンを当該ゲームの演出パターンとしてＲＡＭ９１ｃに設定するようになっており、同じコマンドを受信しても内部当選コマンドの受信時に選択された演出パターンによって異なる制御パターンが選択されるため、結果として演出パターンによって異なる演出が行われることがある。
【０１６５】
本実施例では、図８及び図９に示すように、再遊技役の当選確率の異なるＲＴ（０）〜（３）、ＢＢのいずれかに制御される。
【０１６６】
ＲＴ（０）は、ＲＴ（１）において移行出目（１）（小役ＧＲ（１）〜（９）のいずれかが当選し、かつ当選した小役を入賞ライン上に停止させることができない場合に入賞ライン上に停止する図柄の組合せであり、本実施例では「ブドウ−リプレイ−チェリー」が相当する）または移行出目（２）（小役ＧＲ（１）〜（９）のいずれかが当選し、かつ当選した小役を入賞ライン上に停止させることができない場合に入賞ライン上に停止する図柄の組合せであり、本実施例では「ブドウ−オレンジ−ブドウ」が相当する）が入賞ライン上に停止したとき、ＲＴ（２）が規定ゲーム数の消化により終了したときに移行し、ＲＴ（０）に移行してからのゲーム数に関わらず、リプレイ（３）〜（８）が入賞してＲＴ（２）に移行するか、特別役が当選してＲＴ（３）に移行することで終了する。ＲＴ（０）における再遊技役の当選確率は、通常（約１／７．３）よりも高確率、特にリプレイ（１）、リプレイＧＲ（１）〜（６）の当選確率が高確率であり、１ゲームあたりのメダルの払出率も１以上となる。また、ＲＴ（０）では、リプレイ（２）単独では内部抽選の対象外となり、リプレイＧＲ（７）も内部抽選の対象外となる。
【０１６７】
ＲＴ（１）は、ＢＢ終了後に移行し、ＲＴ（１）に移行してからのゲーム数に関わらず、移行出目（１）または移行出目（２）が入賞ライン上に停止してＲＴ（０）に移行するか、特別役が当選してＲＴ（３）に移行することで終了する。ＲＴ（１）における再遊技役の当選確率は、通常（約１／７．３）よりも高確率、特にリプレイＧＲ（１）〜（７）の当選確率が高確率であり、１ゲームあたりのメダルの払出率が１となるがＲＴ（０）の払出率よりは低く設定されている。また、ＲＴ（１）では、リプレイ（１）（２）単独での抽選が対象外となる。
【０１６８】
ＲＴ（２）は、ＲＴ（０）（１）においてリプレイ（３）〜（８）のいずれかが入賞したときに移行し、規定ゲーム数（本実施例では１８００Ｇ）消化してＲＴ（０）に移行するか、特別役が当選してＲＴ（３）に移行することで終了する。ＲＴ（２）における再遊技役の当選確率は、通常確率（約１／７．３）であり、１ゲームあたりのメダルの払出率が１未満となる。また、ＲＴ（２）では、リプレイＧＲ（１）〜（７）が内部抽選の対象外となる。
【０１６９】
ＲＴ（３）は、特別役が当選したときに移行し、ＲＴ（３）に移行してからのゲーム数に関わらず、当選した特別役が入賞することで終了する。ＲＴ（３）における再遊技役の当選確率は、通常確率（約１／７．３）よりも高確率であるが、１ゲームあたりのメダルの払出率が１未満となる。また、ＲＴ（３）では、リプレイＧＲ（１）〜（７）が内部抽選の対象外となる。
【０１７０】
ＢＢは、特別役の入賞後直ちに移行し、終了条件の成立により終了する。ＢＢにおける再遊技役の当選確率は、通常確率（約１／７．３）よりも低確率であるが、ＢＢ中は常にＲＢに制御されるようになっているため小役の当選確率が高く、１ゲームあたりのメダルの払出率が最も高い。また、ＢＢでは、リプレイ（１）単独では内部抽選の対象外となる。
【０１７１】
上記したＲＴ（０）〜（２）における特別役（小役との同時当選を含む）の当選確率は同一の確率である。また、ＲＴ（０）〜（３）における小役（特別役との同時当選を含む）の当選確率は同一の確率である。
【０１７２】
ＲＴ（０）〜（３）のうちＲＴ（０）（１）は、再遊技役の当選確率がＲＴ（２）（３）よりも高く、ＲＴ（２）（３）に比較して相対的に有利な遊技状態となる。
【０１７３】
また、ＲＴ（０）（１）は、いずれも1ゲームあたりのメダルの払出率が１以上となるが、ＲＴ（０）よりもＲＴ（１）の方が１ゲームあたりのメダルの払出率が高く、ＲＴ（１）の方がＲＴ（０）よりも相対的に有利な遊技状態となる。
【０１７４】
また、ＲＴ（２）（３）は、いずれも１ゲームあたりのメダルの払出率が１未満となるが、これらのうちＲＴ（３）は、再遊技役の当選確率がＲＴ（２）よりも高く、ＲＴ（２）に比較して相対的に有利な遊技状態となる。
【０１７５】
また、ＲＴ（２）は、１ゲームあたりのメダルの払出率が１未満であり、さらに規定ゲーム数消化するか特別役に当選するまでは遊技者にとって有利なＲＴ（０）にもＲＴ（１）にも移行することがないため、ＲＴ（２）は、最も不利な遊技状態である。
【０１７６】
ここで本実施例の遊技状態の移行状況について説明すると、図８に示すように、ＢＢが終了すると、ＲＴ（１）に移行する。
【０１７７】
ＲＴ（１）では、移行出目（１）または移行出目（２）が入賞ラインに停止することで、ＲＴ（０）に移行し、リプレイ（３）〜（８）のいずれかが入賞することでＲＴ（２）に移行し、特別役が当選することでＲＴ（３）に移行する。
【０１７８】
移行出目（１）（２）は、小役ＧＲ（１）〜（９）のいずれかが当選したときに、当選した小役を入賞させることができない場合に停止するため、ＢＢの終了後に移行したＲＴ（１）において小役ＧＲ（１）〜（９）のいずれかが当選し、かつ当選した小役が入賞しなかった場合に、ＲＴ（０）に移行することとなる。
【０１７９】
リプレイ（３）〜（８）は、リプレイＧＲ（１）〜（６）が当選し、リプレイ（２）を入賞させることができなかった場合に入賞するため、ＲＴ（１）においてリプレイＧＲ（１）〜（６）のいずれかが当選し、かつリプレイ（２）を入賞させることができなかった場合にＲＴ（２）に移行する。
【０１８０】
ＲＴ（０）では、リプレイ（３）〜（８）のいずれかが入賞することでＲＴ（２）に移行し、特別役が当選した場合には、ＲＴ（３）に移行する。
【０１８１】
リプレイ（３）〜（８）は、リプレイＧＲ（１）〜（６）が当選し、リプレイ（２）を入賞させることができなかった場合に入賞するため、ＲＴ（０）においてリプレイＧＲ（１）〜（６）のいずれかが当選し、かつリプレイ（２）を入賞させることができればＲＴ（２）に移行する。
【０１８２】
ＲＴ（２）では、ＲＴ（２）へ移行後、特別役が当選せずに規定ゲーム数（１８００Ｇ）消化することで再びＲＴ（０）に戻り、規定ゲーム数消化する前に特別役が当選した場合にはＲＴ（３）に移行する。
【０１８３】
ＲＴ（３）では、当該ＲＴ（３）へ移行する契機となった特別役が入賞することで、ＢＢに移行する。
【０１８４】
このように本実施例では、ＲＴ（０）（１）においてリプレイ（３）〜（８）が入賞し、遊技者にとって不利なＲＴ（２）に移行しても規定ゲーム数消化することで、遊技者にとって有利なＲＴ（０）に移行することとなるため、ＲＴ（２）へ移行してもＲＴ（０）に移行することへの期待感を持続させることができる。
【０１８５】
本実施例では、ＲＡＭ４１ｃに割り当てられたＲＴワークには、さらにＲＴフラグ領域とＲＴ残りゲーム数領域が割り当てられている。このうちＲＴフラグ領域には現在のＲＴの種別を示すＲＴフラグが設定され、ＲＴ残りゲーム数領域には、現在のＲＴが規定ゲーム数の消化により終了するものであれば、ＲＴの残りゲーム数が格納され、ゲーム数の消化が終了条件とはならない他のＲＴであれば０が格納される。
【０１８６】
ＲＴ（０）は、前述のようにＲＴ（１）において移行出目（１）または移行出目（２）が入賞ライン上に停止したとき、ＲＴ（２）が規定ゲーム数の消化により終了したときに移行する。この際、ＲＴフラグ領域には、ＲＴ（０）を示す[００]が格納され、ＲＴ残りゲーム数領域は［００００］が設定される（現状を維持しても良い）。詳しくは、ＲＴ（１）において移行出目（１）または移行で目（２）が入賞ライン上に停止したゲームが終了したタイミング、すなわちこの際メダルの払出は伴わないので全てのリールが停止したタイミングで、ＲＴフラグ領域の値をＲＴ（１）を示す［０１］からＲＴ（０）を示す［００］に更新し、ＲＴ（０）に移行させる。また、ＲＴ残りゲーム数領域の値は［００００］であるので、そのままとする。
【０１８７】
また、ＲＴ（２）において、規定ゲーム数の消化により終了した場合には、ＲＴ（２）が終了したゲームが終了したタイミング、すなわちメダルの払出を伴わない場合には、全てのリールが停止したタイミング、メダルの払出を伴う場合には、メダルの払出が完了したタイミングで、ＲＴフラグ領域の値をＲＴ（２）を示す［０２］からＲＴ（０）を示す［００］に更新し、ＲＴ（０）に移行させる。また、ＲＴ残りゲーム数領域の値は［００００］となる。
【０１８８】
ＲＴ（１）は、前述のようにＢＢの終了後に移行する。この際、ＲＴフラグ領域には、ＲＴ（１）を示す[０１]が格納され、ＲＴ残りゲーム数領域は［００００］が設定される（現状を維持しても良い）。詳しくは、ＢＢの最後のゲームが終了したタイミング、すなわちこの際メダルの払出を伴うのでメダルの払出が完了したタイミングで、ＲＴフラグ領域の値をＲＴ（０）を示す［００］からＲＴ（１）を示す［０１］に更新し、ＲＴ（１）に移行させる。また、ＲＴ残りゲーム数領域の値は［００００］であるので、そのままとする。
【０１８９】
ＲＴ（２）は、前述のようにＲＴ（０）またはＲＴ（１）においてリプレイ（３）〜（８）のいずれかが入賞したときに移行する。この際、ＲＴフラグ領域には、ＲＴ（２）を示す[０２]が格納され、ＲＴ残りゲーム数領域には、ＲＴ（２）の規定ゲーム数である［１８００］が設定される。詳しくは、図１０に示すように、ＲＴ（０）またはＲＴ（１）においてリプレイ（３）〜（８）のいずれかが入賞したゲームが終了したタイミング、すなわちこの際メダルの払出は伴わないので全てのリールが停止したタイミングで、ＲＴフラグ領域の値をＲＴ（０）を示す［００］（ＲＴ（１）の場合はＲＴ（１）を示す［０１］）からＲＴ（２）を示す［０２］に更新し、ＲＴ（２）に移行させる。また、ＲＴ残りゲーム数領域の値には規定ゲーム数である［１８００］に更新する。
【０１９０】
ＲＴ（２）に制御されている間、１ゲームが終了したタイミング、すなわちメダルの払出を伴わないゲームであれば全てのリールが停止したタイミングで、メダルの払出を伴うゲームであればメダルの払出が完了したタイミングで、ＲＴ残りゲーム数領域の値を１減算する。
【０１９１】
そして規定ゲーム数消化してＲＴ（２）が終了する場合には、規定ゲーム数が経過した最終ゲーム、すなわちＲＴの残りゲーム数領域の値が［００００］となったゲームが終了したタイミングで、ＲＴフラグの値を［０２］からＲＴ（０）を示す［００］に更新し、ＲＴ（２）を終了させてＲＴ（０）に移行させる。また、特別役が当選してＲＴ（２）が終了する場合には、特別役が内部抽選で当選したタイミングで、当該ゲームの終了を待たずに、ＲＴフラグの値をＲＴ（２）を示す［０２］からＲＴ（３）を示す［０３］に更新するとともに、ＲＴ残りゲーム数を［００００］に更新し、ＲＴ（２）を終了させてＲＴ（３）に移行させる。
【０１９２】
ＲＴ（３）は、前述のように特別役の当選時に移行する。この際、ＲＴフラグ領域には、ＲＴ（３）を示す[０３]が格納され、ＲＴ残りゲーム数領域は［００００］が設定される（現状を維持しても良い）。詳しくは、図１１に示すように、ＲＴ（０）〜（２）において特別役が当選した場合に、当該特別役が内部抽選で当選したタイミングで、当該ゲームの終了を待たずに、ＲＴフラグの値をＲＴ（０）を示す［００］、ＲＴ（１）を示す［０１］、ＲＴ（２）を示す［０２］からＲＴ（３）を示す［０３］に更新し、ＲＴ（３）に移行させる。また、ＲＴ残りゲーム数領域の値は［００００］以外であれば、［００００］に更新する。
【０１９３】
そして、ＲＴ（３）は、当該ＲＴ（３）へ移行する契機となった特別役が入賞したゲームが終了したタイミング、すなわちこの場合にはメダルの払出を伴わないので全てのリールが停止したタイミングで、ＲＴフラグの値をＲＴ（０３）を示す［０３］からＲＴ（０）を示す［００］に更新し、ＲＴ（３）を終了する。そして、前述のようにＢＢの最後のゲームが終了したタイミング、すなわちこの際メダルの払出を伴うのでメダルの払出が完了したタイミングで、ＲＴフラグ領域の値をＲＴ（０）を示す［００］からＲＴ（１）を示す［０１］に更新し、ＲＴ（１）に移行させる。この間、ＲＴ残りゲーム数領域の値は［００００］のままである。
【０１９４】
本実施例では、前述したように設定変更時にＲＡＭ４１ｃの初期化を行う際に、現在の遊技状態がＲＴ（０）〜（３）のいずれかである旨を示すＲＴフラグが格納されるＲＴワークが初期化されないようになっており、ＲＴ（０）〜（３）中に設定変更がなされた場合でも、設定変更後もＲＴフラグが維持され、設定変更後は、内部抽選が変更後の設定値に基づいて行われるものの設定変更前に制御されていたＲＴ（０）〜（３）に継続して制御するようになっている。また、ＲＴ（２）は規定ゲーム数の消化で終了するが、ＲＴ（２）の消化ゲーム数を計数するためのＲＴ残りゲーム数も、設定変更時に初期化されることのないＲＴワークに格納されているため、ＲＴ（２）中において設定変更がなされた場合には、ＲＴ（２）が維持されるだけでなく、設定変更前の消化ゲーム数についても維持され、設定変更後は、変更前の消化ゲーム数から計数が再開されるようになっている。
【０１９５】
一般的なスロットマシンでは、設定値が変更されることにより、その時点の遊技状態も含めてゲームの制御に関わるデータが初期化され、設定変更前の状態を反映させずにリセットしているが、遊技状態が特定の状態である場合に、変更前の状態を継続するようにしたスロットマシンも提案されている。
【０１９６】
しかしながら、本実施例のように特別役の当選と同時にＲＴ（１）（２）よりも再遊技役の当選確率が高いＲＴ（３）に移行するスロットマシンにおいて、上述のように設定変更後、変更前の遊技状態を継続する構成とした場合には、設定変更後、特別役の当選も引き継いでしまうこととなるため、設定変更操作を行うことによって特別役の当選をクリアすることができなくなってしまうという問題がある。
【０１９７】
これに対して本実施例では、前述したように設定変更時にＲＡＭ４１ｃの初期化を行う際に、現在の遊技状態がＲＴ（０）〜（３）のいずれかである場合にその旨を示すＲＴフラグが格納されるＲＴワークは初期化されずに、内部当選フラグが格納される一般ワークは初期化されるようになっており、特別役が当選したときに移行するＲＴ（３）において設定変更がなされた場合には、設定変更後、新たな設定値に基づく内部抽選の確率が適用されるが、図１２に示すように、設定変更前のＲＴ（３）、すなわち再遊技役の当選確率が高い状態が維持されたうえで、設定変更前に当選し、持ち越されていた特別役の当選フラグはクリアされるようになっており、特別役の当選時に移行するＲＴ（３）において設定変更がなされ、その後もＲＴ（３）を維持する構成とした場合でも特別役の当選を無効化することができる。
【０１９８】
また、ＲＴ（３）中に設定変更がなされると、変更後も再遊技役の当選確率が高いままの状態、すなわち再遊技役の当選確率だけみれば、特別役が持ち越されている場合と同じ状態が維持されるので、スロットマシンが設置された遊技店の開店時に、再遊技役が高い頻度で入賞することで、前日から特別役の当選が持ち越されている可能性が示唆されるため、朝一、再遊技役の入賞頻度によって遊技者の期待感を高めることができる。また、例え、設定変更されていて特別役の当選フラグが消去されている場合であっても、再遊技役の入賞頻度が高い状態が維持されているため、遊技を継続しようとする遊技者の意欲を持続させることができる。
【０１９９】
また、本実施例では、図１３に示すように、１ゲームが終了するタイミング、すなわちメダルの払出を伴わないゲームであれば全てのリールが停止するタイミング、メダルの払出を伴うゲームであれば全てのリールが停止し、メダルの払出が完了するタイミングよりも前に、設定変更がなされると、設定変更されたために中断したゲームが再開されるのではなく、賭数を設定可能な状態、すなわちゲームが終了したときと同じ状態となる。
【０２００】
一方、ＲＴ（３）へ移行する契機となる特別役が当選したゲームにおいて、図１１に示すように、特別役が当選したタイミング、すなわち内部抽選のタイミングで、当該ゲームの終了を待たずに、ＲＴワークにＲＴ（３）を示すＲＴフラグを格納するようになっている。
【０２０１】
このため、本実施例では、図１３に示すように、ＲＴ（３）へ移行する契機となる特別役が当選したゲームにおいて、そのゲームが終了する前に設定変更がされても、ＲＴワークに格納されたＲＴ（３）を示すＲＴフラグが維持されるようになり、設定変更後は、中断されたゲームから再開されることはないが、ＲＴ（３）に移行した状態となる。
【０２０２】
このように本実施例では、ＲＴ（３）へ移行する契機となる特別役が当選したゲームにおいて、そのゲームが終了する前に設定変更を行うことによっても、意図的にＲＴ（３）への移行を妨げることが不可能となり、意図的に遊技者にとって不利な状態とすることが不可能となるため、ゲームの公平性を保つことができる。
【０２０３】
本実施例では、ＲＴ（３）へ移行する契機となる特別役が当選したゲームにおいて、特別役の当選したタイミングでＲＴワークにＲＴ（３）を示すＲＴフラグを格納することで、特別役が当選したゲームにおいて、そのゲームが終了する前に設定変更を行った場合でも、設定変更後、ＲＴ（３）から再開させることができるようになっており、特別役の当選フラグが設定変更時に当選していた旨を記憶したり、設定変更後、設定変更時の特別役の当選フラグの当選状況を確認してＲＴ（３）に移行させる処理などを行うことなく、設定変更後、ＲＴ（３）から再開させることができる。
【０２０４】
また、特別役が当選して移行するＲＴ（３）は、その後、設定変更がされなければ、移行する契機となった特別役が入賞することで終了するようになっている。また、設定変更後も維持されるＲＴ（３）では、特別役が当選していない状態であるが、この状態で再び特別役が当選した場合には、そのままＲＴ（３）の状態を維持し、設定変更前と同様に特別役が入賞することで終了するようになっている。このため、ＲＴ（３）は、途中で設定変更がされても、その後特別役が当選した場合には、特別役が入賞するという共通の終了条件が成立することで終了するので、このような場合には、ＲＴ（３）を終了させるための処理を共通化することが可能となり、メインＣＰＵ４１ａの処理プログラムの容量を削減することができる。
【０２０５】
また、本実施例ではＲＴ（３）において、設定値に関わらず再遊技役の当選確率として共通の確率が適用されるようになっており、ＲＴ（３）において再遊技役の当選確率から設定値を推測することが不可能であり、遊技者が設定値を見抜くためにＲＴ（３）、すなわちＲＴ（２）よりもメダルの消費が抑制された状態を遊技者が故意に継続させることを防止できる。
【０２０６】
本実施例では、設定変更時においてＲＴワークに格納されているＲＴフラグが初期化されることがないため、遊技者にとって不利なＲＴ（２）中に設定変更がされても、設定変更後、ＲＴ（２）が継続するようになっており、設定変更してもＲＴ（２）を終了させることができないようになっており、設定変更することで意図的にＲＴ（２）を終了させてそれよりも遊技者にとって有利なＲＴ（０）へ移行させることができないようになっている。
【０２０７】
また、メダルの払出率が高く、遊技者にとって有利となるＲＴ（０）中に設定変更がなされても、設定変更後、ＲＴ（０）が継続するようになっており、設定変更してもＲＴ（０）を終了させることができないようになっており、設定変更することで意図的に遊技者にとって有利なＲＴ（０）を終了させることができないようになっている。
【０２０８】
このように、遊技者にとって不利なＲＴ（２）であっても、遊技者にとって有利なＲＴ（０）であっても、その間に設定変更された場合には、設定変更後、変更前のＲＴが維持されるようになっており、特定のＲＴは設定変更後も維持するが、他のＲＴは設定変更後は維持しないということがなく、どのＲＴに制御されていても設定変更に伴うＲＡＭ４１ｃの初期化処理を共通化することが可能となるので、メインＣＰＵ４１ａの処理プログラムの容量を削減することができる。
【０２０９】
また、ＲＴ（２）の消化ゲーム数を計数するＲＴ残りゲーム数は、設定変更に伴って初期化されないＲＴワークに格納されているため、設定変更後、ＲＴ（２）が引き継がれる場合には、その消化ゲーム数も引き継がれ、設定変更前の消化ゲーム数から計数が再開されるようになっている。
【０２１０】
前述のように１ゲームが終了するタイミング、すなわちメダルの払出を伴わないゲームであれば全てのリールが停止するタイミング、メダルの払出を伴うゲームであれば全てのリールが停止し、メダルの払出が完了するタイミングよりも前に、設定変更がなされると、設定変更されたために中断したゲームが再開されるのではなく、図１４に示すように、賭数を設定可能な状態、すなわちゲームが終了したときと同じ状態となるが、ＲＴ（２）のように消化ゲーム数が規定ゲーム数に到達することで終了するＲＴにおいては、ゲームの途中（１単位のゲームが終了する前のタイミング）で設定変更がなされた場合に、１単位のゲームが終了していないにも関わらず、設定変更後、消化ゲーム数がカウントされた状態でＲＴが引き継がれると、ゲームの結果を反映しないまま消化ゲーム数のみを更新させることが可能となるため、意図的に遊技者にとって不利な状態または有利な状態などの特定の遊技状態を設定することが可能となり、ゲームの公平性を害する虞がある。
【０２１１】
このため本実施例では、図１４に示すように、ＲＴ（２）に制御されている間、１ゲームが終了したタイミングでＲＴ残りゲーム数を更新することにより、１ゲームが終了するタイミングよりも前に、設定変更がなされても、そのゲームが終了していなければＲＴ残りゲーム数が更新されず、設定変更後は、設定変更により中断されたゲームの開始前のＲＴ残りゲーム数から計数が再開されるようになっており、ＲＴ（２）において１ゲームが終了する前に設定変更されても、当該ゲームの結果を反映しないままＲＴ残りゲーム数のみを更新させることが不可能となり、例えば、ＲＴ（２）のＲＴ残りゲーム数を減らすことで、遊技者にとって不利なＲＴ（２）を終了させるなど、意図的に遊技者にとって有利な状態を設定することが不可能となるため、ゲームの公平性を保つことができる。
【０２１２】
また、本実施例では、ＲＴ（２）に制御されている間、１ゲームが終了したタイミングでＲＴ残りゲーム数を更新することで、１ゲームが終了する前に設定変更を行った場合でも、設定変更後、設定変更により中断されたゲームの開始前のＲＴ残りゲーム数から計数を再開できるようになっており、１ゲームが終了する前に設定変更がされてゲームが中断された場合であっても、単にその時点のＲＴ残りゲーム数を維持するのみで、既に更新されたＲＴ残りゲーム数を元に戻すなどの処理を行うことなく、中断したゲームの開始前までに計数済みのＲＴ残りゲーム数から計数を再開することができる。
【０２１３】
本実施例では、前述のようにＲＴ（０）（１）においてリプレイ（３）〜（８）が入賞すると、規定ゲーム数消化するまでは遊技者にとって有利なＲＴ（０）への移行が期待できないＲＴ（２）に移行することとなる。リプレイ（３）〜（８）はリプレイＧＲ（１）〜（６）が当選した際に入賞する可能性がある。
【０２１４】
リプレイＧＲ（１）が当選した場合には、左−中−右以外の順番で停止操作を行った場合に、リプレイ（３）、リプレイ（４）、リプレイ（７）が入賞することとなるが、左−中−右の順番で停止操作を行うことリプレイ（３）、リプレイ（４）、リプレイ（７）の入賞を回避し、かつリプレイ（２）を入賞させることができる。
【０２１５】
リプレイＧＲ（２）が当選した場合には、左−右−中以外の順番で停止操作を行った場合に、リプレイ（３）、リプレイ（５）、リプレイ（８）が入賞することとなるが、左−右−中の順番で停止操作を行うことでリプレイ（３）、リプレイ（５）、リプレイ（８）の入賞を回避し、かつリプレイ（２）を入賞させることができる。
【０２１６】
リプレイＧＲ（３）が当選した場合には、中−左−右以外の順番で停止操作を行った場合に、リプレイ（３）、リプレイ（４）、リプレイ（６）が入賞することとなるが、中−左−右の順番で停止操作を行うことでリプレイ（２）が入賞し、リプレイ（３）、リプレイ（４）、リプレイ（６）の入賞を回避することが可能となる。
【０２１７】
リプレイＧＲ（４）が当選した場合には、中−右−左以外の順番で停止操作を行った場合に、リプレイ（４）、リプレイ（５）、リプレイ（８）が入賞することとなるが、中−右−左の順番で停止操作を行うことでリプレイ（４）、リプレイ（５）、リプレイ（８）の入賞を回避し、かつリプレイ（２）を入賞させることができる。
【０２１８】
リプレイＧＲ（５）が当選した場合には、右−左−中以外の順番で停止操作を行った場合に、リプレイ（３）、リプレイ（５）、リプレイ（６）が入賞することとなるが、右−左−中の順番で停止操作を行うことでリプレイ（３）、リプレイ（５）、リプレイ（６）の入賞を回避し、かつリプレイ（２）を入賞させることができる。
【０２１９】
リプレイＧＲ（６）が当選した場合には、右−中−左以外の順番で停止操作を行った場合に、リプレイ（４）、リプレイ（５）、リプレイ（７）が入賞することとなるが、右−中−左の順番で停止操作を行うことでリプレイ（４）、リプレイ（５）、リプレイ（７）の入賞を回避し、かつリプレイ（２）を入賞させることができる。
【０２２０】
しかしながら、ＲＴ（０）（１）においてリプレイＧＲ（１）〜（６）のいずれかが当選した場合に、その種類が分からなければ意図的にリプレイ（２）を入賞させ、リプレイ（３）〜（８）の入賞を回避することとなる停止順を選択することはできず、１／６の割合でリプレイ（２）が入賞することとなる停止順が選択され、ＲＴ（２）への移行を回避できるが、５／６の割合でリプレイ（３）〜（８）のいずれかが入賞することとなる停止順が選択され、ＲＴ（２）へ移行してしまうこととなる。
【０２２１】
これに対してサブＣＰＵ９１ａは、ＲＴ（０）（１）においてリプレイＧＲ（１）〜（６）のいずれかが当選した場合に、リプレイ（３）〜（８）を回避し、かつリプレイ（２）が入賞することとなる停止順を報知するリプレイナビを実行することが可能であり、リプレイナビが実行されることにより、遊技者はリプレイ（３）〜（８）を回避し、かつリプレイ（２）が入賞することとなる停止順を特定することが可能となり、報知された停止順に従ってリールの停止操作を行うことでリプレイ（３）〜（８）の入賞を回避してリプレイ（２）を入賞させることが可能となり、ＲＴ（２）への移行を回避できるようになっている。
【０２２２】
尚、リプレイナビは、リールの停止順を遊技者が認識可能なものであれば良く、リールの停止順を示唆する画像などを液晶表示器５１に表示することで報知するものや、対応するＬＥＤの点灯、対応する音声の出力などによって報知するものであっても良い。
【０２２３】
また、前述のように小役ＧＲ（１）〜（３）が当選したか、小役ＧＲ（４）〜（６）が当選したか、小役ＧＲ（７）〜（９）が当選したか、に応じて払出期待値の高い第１停止リールが異なり、小役ＧＲ（１）〜（９）のいずれかが当選した場合でも、その種類が分からなければ意図的に払出期待値の高い第１停止リールを選択することはできず、１／３の割合で払出期待値の高い第１停止リールが選択され、２／３の割合で払出期待値の低い第１停止リールが選択されることとなる。
【０２２４】
これに対して本実施例のサブＣＰＵ９１ａは、小役ＧＲ（１）〜（９）のいずれかが当選した場合に、払出期待値の高い第１停止リール（小役ＧＲ（１）〜（３）の当選時であれば左リール、小役ＧＲ（４）〜（６）の当選時であれば中リール、小役ＧＲ（７）〜（９）の当選時であれば右リール）を報知する小役ナビを実行することが可能であり、小役ナビが実行されることにより、遊技者は払出期待値の高い第１停止リールを特定することが可能となり、報知されたリールを第１停止とすることで９枚を必ず入賞させることが可能となり、小役ナビが実行されない場合よりも多くのメダルを獲得することができるようになっている。
【０２２５】
尚、小役ナビは、第１停止リールを遊技者が認識可能なものであれば良く、第１停止リールまたは停止順を示唆する画像などを液晶表示器５１に表示することで報知するものや、対応するＬＥＤの点灯、対応する音声の出力などによって報知するものであっても良い。
【０２２６】
また、前述のようにＲＴ（１）において移行出目（１）または移行出目（２）が入賞ラインに停止すると、ＲＴ（０）に移行することとなる。小役（１）〜（９）は、移行出目（１）、移行出目（２）は、小役ＧＲ（１）〜（９）が当選した際に停止する可能性がある。
【０２２７】
小役ＧＲ（１）〜（３）が当選した場合には、左リール以外を第１停止とした場合に、小役（１）〜（３）が入賞するか、移行出目（１）または移行出目（２）が入賞ラインに停止することとなるが、左リールを第１停止とした場合の順番で停止操作を行うことで移行出目（１）（２）の停止を回避し、かつベルを入賞させることができる。
【０２２８】
小役ＧＲ（４）〜（６）が当選した場合には、中リール以外を第１停止とした場合に、小役（４）〜（６）が入賞するか、移行出目（１）または移行出目（２）が入賞ラインに停止することとなるが、中リールを第１停止とした場合の順番で停止操作を行うことで移行出目（１）（２）の停止を回避し、かつベルを入賞させることができる。
【０２２９】
小役ＧＲ（７）〜（９）が当選した場合には、右リール以外を第１停止とした場合に、小役（７）〜（９）が入賞するか、移行出目（１）または移行出目（２）が入賞ラインに停止することとなるが、右リールを第１停止とした場合の順番で停止操作を行うことで移行出目（１）（２）の停止を回避し、かつベルを入賞させることができる。
【０２３０】
しかしながら、小役ＧＲ（１）〜（９）のいずれかが当選した場合でも、その種類が分からなければ意図的に移行出目（１）（２）の停止を回避し、かつベルを入賞させる第１停止リールを選択することはできず、１／３の割合で移行出目（１）（２）の停止を回避し、かつベルを入賞させる第１停止リールが選択され、２／３の割合で移行出目（１）（２）の停止を確実には回避できない第１停止リールが選択されることとなる。
【０２３１】
これに対して本実施例のサブＣＰＵ９１ａは、前述のように小役ＧＲ（１）〜（９）のいずれかが当選した場合に、払出期待値の高い第１停止リール（小役ＧＲ（１）〜（３）の当選時であれば左リール、小役ＧＲ（４）〜（６）の当選時であれば中リール、小役ＧＲ（７）〜（９）の当選時であれば右リール）を報知する小役ナビを実行することが可能であり、小役ナビが実行されることにより、遊技者は移行出目（１）（２）の停止を回避し、かつベルを入賞させる第１停止リールを特定することが可能となり、報知されたリールを第１停止とすることで移行出目（１）（２）の停止を確実に回避し、かつ９枚のメダルを獲得することも可能となる。
【０２３２】
サブＣＰＵ９１ａは、原則としてナビ権利に応じて上記したリプレイナビ及び小役ナビを行う。ナビ権利は、図１５に示すように、ナビ権利１〜３からなる。
【０２３３】
ナビ権利１は、ＢＢ終了後のＲＴ（１）において、当該ＲＴ（１）が終了するまでの期間にわたりリプレイＧＲ（１）〜（６）が当選したときにリプレイナビが実行される権利であり、ナビ権利１が付与されることで、ＢＢ終了後のＲＴ（１）においてリプレイＧＲ（１）〜（６）が当選してもリプレイ（３）〜（８）の入賞を回避する停止順が報知されるので、移行出目（１）（２）が停止してＲＴ（０）へ移行するまで遊技者にとって不利なＲＴ（２）への移行を回避することが可能となる。
【０２３４】
ナビ権利１は、ＢＢ当選時、ＢＢ中のリプレイ（２）入賞時、すなわちＢＢ中においてリプレイＧＲ（１）〜（６）が当選し、１／６で停止順が正解してリプレイ（２）が入賞したとき、ＢＢ中のリプレイ（２）単独当選時、ＢＢ中のリプレイＧＲ（７）当選時、ＢＢ中のハズレ時にサブＣＰＵ９１ａが実行するナビ権利抽選１に当選することで付与される。
【０２３５】
ナビ権利抽選１では、図１６（ａ）に示すように、ＢＢ中のリプレイ（２）入賞時、ＢＢ中のリプレイ（２）単独当選時、ＢＢ中のリプレイＧＲ（７）当選時、ＢＢ中のハズレ時には、１００％の確率で当選し、ナビ権利１が付与される。また、サブＣＰＵ９１ａは、ＲＴ（０）〜（２）において低確率状態、高確率状態のいずれかに制御するようになっており、ナビ権利抽選１では、ＢＢ当選時に低確率状態に滞在していれば２％の確率で当選し、ナビ権利１が付与される一方で、高確率状態に滞在していれば１００％の確率で当選し、ナビ権利１が付与される。
【０２３６】
このため、高確率状態に滞在している状態でＢＢに当選した場合には、ＢＢの終了後のＲＴ（１）から、ＲＴ（２）へ移行させることなく、ＲＴ（０）へ移行させることができる一方、低確率状態でＢＢが当選した場合でも、２％の確率でナビ権利１に当選するか、当該ＢＢ中にリプレイ（２）が入賞するか、当該ＢＢ中にリプレイ（２）に単独で当選するか、当該ＢＢ中にリプレイＧＲ（７）に当選するか、当該ＢＢ中にハズレとなることでＢＢの終了後のＲＴ（１）から、ＲＴ（２）へ移行させることなく、ＲＴ（０）へ移行させることができる。
【０２３７】
ナビ権利２は、ＢＢ終了後のＲＴ（１）において、３０Ｇ消化するまでの期間にわたり小役ＧＲ（１）〜（９）が当選したときに小役ナビが実行される権利であり、ナビ権利２が付与されることで、ＢＢ終了後のＲＴ（１）において小役ＧＲ（１）〜（９）が当選しても移行出目（１）（２）の停止を回避しつつベルを入賞させる停止順が報知されるので、ＢＢ終了後、少なくとも３０Ｇ消化するまでは、小役ナビに従って停止操作を行うことによりＲＴ（１）からＲＴ（０）への移行を回避できる。特に本実施例では、後述のようにＲＴ（１）のゲーム数が多いほど後述する多くのナビ権利３の獲得が期待できるため、ナビ権利２によってＲＴ（１）からＲＴ（０）への移行を回避できることにより、より多くのナビ権利３の獲得が期待できるようになる。
【０２３８】
ナビ権利２は、ＢＢ当選時、ＢＢ中のリプレイ（２）入賞時、ＢＢ中のリプレイ（２）単独当選時、ＢＢ中のリプレイＧＲ（７）当選時、ＢＢ中のハズレ時にサブＣＰＵ９１ａが実行するナビ権利抽選２に当選することで付与される。
【０２３９】
ナビ権利抽選２では、図１６（ｂ）に示すように、ＢＢ中のリプレイ（２）入賞時、ＢＢ中のリプレイ（２）単独当選時、ＢＢ中のリプレイＧＲ（７）当選時、ＢＢ中のハズレ時には、１００％の確率で当選し、ナビ権利２が付与される。また、ナビ権利抽選２では、ＢＢ当選時に高確率状態に滞在している場合のみ２０％の確率で当選し、ナビ権利２が付与される。
【０２４０】
このため、高確率状態に滞在している状態でＢＢに当選した場合には、２０％の確率でＲＴ（１）を３０Ｇ以上維持することが可能となり、より多くのナビ権利３の獲得が期待できる一方、低確率状態に滞在している状態でＢＢに当選した場合や、高確率状態に滞在している状態でＢＢに当選したもののナビ権利抽選２に当選しなかった場合でも、当該ＢＢ中にリプレイ（２）が入賞するか、当該ＢＢ中にリプレイ（２）に単独で当選するか、当該ＢＢ中にリプレイＧＲ（７）に当選するか、当該ＢＢ中にハズレとなることでＲＴ（１）を３０Ｇ以上維持することが可能となり、より多くのナビ権利３の獲得が期待できる。
【０２４１】
また、高確率状態に滞在している状態でＢＢに当選した場合には、１００％の確率でナビ権利１も付与されるので、高確率状態でＢＢに当選することで、２０％の確率でナビ権利１、２の双方が付与され、ＢＢの終了後のＲＴ（１）から、ＲＴ（２）へ移行させることなく、ＲＴ（０）へ移行させることができるうえに、３０Ｇ以上にわたりＲＴ（１）を維持することが可能となる一方で、ナビ権利２に当選しない場合でもナビ権利１は付与されるため、ＲＴ（１）からＲＴ（０）へ移行させることは可能となる。
【０２４２】
また、ＢＢ中のリプレイ（２）入賞時、ＢＢ中のリプレイ（２）単独当選時、ＢＢ中のリプレイＧＲ（７）当選時、ＢＢ中のハズレ時には、１００％の確率でナビ権利１も付与されるので、ＢＢ中のリプレイ（２）入賞時、ＢＢ中のリプレイ（２）単独当選時、ＢＢ中のリプレイＧＲ（７）当選時、ＢＢ中のハズレ時には、１００％の確率でナビ権利１、２の双方が付与され、ＢＢの終了後のＲＴ（１）から、ＲＴ（２）へ移行させることなく、ＲＴ（０）へ移行させることができるうえに、３０Ｇ以上にわたりＲＴ（１）を維持することが可能となる。
【０２４３】
ナビ権利３は、ＲＴ（０）において３３Ｇ消化するまでの期間（ＢＢ中は除く）にわたりリプレイＧＲ(１)〜（６）が当選したときにリプレイナビが実行され、小役ＧＲ（１）〜（９）が当選したときに小役ナビが実行される権利であり、ナビ権利３が付与されることで、ＲＴ（０）において３３ゲームの期間が経過するまでは、リプレイＧＲ（１）〜（６）が当選してもリプレイ（３）〜（８）の入賞を回避する停止順が報知され、小役ＧＲ（１）〜（９）が当選した場合には、ベルを確実に入賞させることができる停止順が報知されるので、遊技者にとって不利なＲＴ（２）への移行を回避しつつ、より多くのメダルを獲得することが可能となる。また、ナビ権利３は、複数付与することが可能であり、ナビ権利３が残っている間は、３３ゲーム毎に１個の権利を消費することで、ナビ権利３の数×３３ゲームの期間にわたりリプレイナビ及び小役ナビが実行されることとなる。
【０２４４】
ナビ権利３は、ＢＢ中のリプレイ（２）単独当選時、ＢＢ中のリプレイＧＲ（７）当選時、ＢＢ中のハズレ時、ＲＴ（１）中のリプレイＧＲ（７）当選時にサブＣＰＵ９１ａが実行するナビ権利抽選３に当選することで付与される。
【０２４５】
ナビ権利抽選３では、図１６（ｃ）に示すように、抽選契機に関わらず、１〜７個のナビ権利３が当選することとなるが、抽選契機に応じて異なる当選確率が定められた抽選テーブルを用いることで、その当選個数の平均値が異なる。
【０２４６】
詳しくは、ＢＢ中のリプレイ（２）単独当選時は、当選個数１、２が３０％、当選個数３、４が２０％、当選個数５〜７が０％であり、当選個数の平均値は、２．３個となる。
【０２４７】
ＢＢ中リプレイＧＲ（７）当選時は、当選個数１〜６が０％、当選個数７が１００％であり、当選個数の平均値は、７個となる。
【０２４８】
ＢＢ中ハズレ時は、当選個数１、７が５０％、当選個数２〜６が０％であり、当選個数の平均値は、４個となる。
【０２４９】
ＲＴ（１）中のリプレイＧＲ（７）当選時は、ＲＴ（１）へ移行後３０Ｇまでは、当選個数１が８０％、当選個数２、３が５％、当選個数４が４％、当選個数５〜７が２％であり、当選個数の平均値は、１．５７個となる。
【０２５０】
ＲＴ（１）中のリプレイＧＲ（７）当選時は、ＲＴ（１）へ移行後３０Ｇを超えていれば、当選個数１が０％、当選個数２が４０％、当選個数３が３０％、当選個数４が１８％、当選個数５〜７が４％であり、当選個数の平均値は、３．１４個となる。
【０２５１】
このように、ナビ権利抽選３を実行する抽選契機の違いによってナビ権利３の獲得が期待できる個数がなり、特に、前述のようにＲＴ（１）では、当該ＲＴ（１）において当選確率が高まるリプレイＧＲ（７）が当選する毎に１個以上のナビ権利３が当選することとなるため、ＲＴ（１）からＲＴ（０）へ移行させずに極力多くのゲーム数にわたりＲＴ（１）の状態を維持することでより多くのナビ権利３の獲得、すなわちその後移行する遊技者にとって有利なＲＴ（０）がより長く継続することに対して期待できる。
【０２５２】
小役ＧＲ（１）〜（９）のいずれかが当選した場合でも、その種類が分からなければ意図的に移行出目（１）（２）の停止を回避し、かつベルを入賞させる第１停止リールを選択することはできず、１／３の割合で移行出目（１）（２）の停止を回避し、かつベルを入賞させる第１停止リールが選択され、２／３の割合で移行出目（１）（２）の停止を確実には回避できない第１停止リールが選択されることとなるが、前述のようにナビ権利２が付与されることにより、ＲＴ（１）からＲＴ（０）へ移行させずにＲＴ（１）を維持することが可能となり、その結果より多くのナビ権利３の獲得が期待できる。特に、ナビ権利２が付与されることで、よりナビ権利３の当選個数の平均値が高くなる３０Ｇに到達するまでＲＴ（０）への移行を回避できるため、さらに多くのナビ権利３の獲得が期待できることとなる。
【０２５３】
このように本実施例では、遊技者にとって有利なＲＴ（０）の継続ゲーム数が一度に決定されるのではなく、ナビ権利２が付与されたか否かに応じてＲＴ（１）の継続ゲーム数が変化し、そのゲーム数が多いほど、その後移行する遊技者にとって有利なＲＴ（０）の継続ゲーム数が多くなるため、遊技者にとって有利な状況が期待できる契機を増加させることができる。
【０２５４】
尚、本実施例では、ＲＴ（１）における1ゲームあたりのメダル払出率が１を超える構成であるが、ＲＴ（１）における1ゲームあたりのメダル払出率は1以下であっても良く、ＲＴ（２）やＲＴ（３）と同程度のメダル払出率でも良い。
【０２５５】
また、本実施例では、ＲＴ（１）のゲーム数が３０Ｇを超えた後、リプレイＧＲ（７）が当選した場合に、３０ＧまでにリプレイＧＲ（７）が当選した場合よりも当選個数の平均値が高くなる。すなわちＲＴ（１）のゲーム数が３０Ｇまでか、３０Ｇを超えるか、を境にして遊技者の有利度に明確な差がでるため、遊技者は３０Ｇを目標に定めてＲＴ（１）を維持すれば良いの、ゲーム性が分かりやすくなる。
【０２５６】
尚、本実施例では、３０Ｇを境にナビ権利抽選３に用いるテーブルをより当選個数の平均値が高くなるテーブルに変更することで、３０Ｇを境にした有利度の差を明確にしているが、例えば、特定のゲーム数に到達する毎に、特定のゲーム数以外のゲーム数よりも当選個数の平均値が高くなるように定めた抽選テーブルを用いてナビ権利抽選３を実行したり、特定のゲーム数に到達する毎にナビ権利３を１個以上付与する構成としても良く、このような構成とした場合でも、遊技者は特定のゲーム数を目標に定めてＲＴ（１）を維持すれば良いので、ゲーム性が分かりやすくなる。
【０２５７】
また、本実施例では、ゲーム数、すなわち１ゲーム毎に必ず成立する条件の計数値を境に有利度を変更するものであるが、これに限らず、ＲＴ（１）中に必ずしも成立するとは限らない条件、例えば、ＲＴ（１）中において特定の役が当選することなどの条件が成立した回数を計数し、その計数値を境に有利度を変更する構成としても上記と同様の効果を得られる。また、同様にＲＴ（１）中に必ずしも成立するとは限らない条件の成立回数が特定の回数に到達することで有利度を変更する構成としても上記と同様の効果を得られる。
【０２５８】
例えば、ＲＴ（１）においてリプレイＧＲ（１）〜（６）が当選し、かつリプレイ（３）〜（８）の入賞を回避した回数、すなわちＲＴ（２）への移行を回避した回数や、小役ＧＲ（１）〜（９）が当選し、移行出目（１）（２）の停止を回避した回数、すなわちＲＴ（０）への移行を回避した回数が規定回数に到達することを境にナビ権利抽選３に用いるテーブルをより当選個数の平均値が高くなるテーブルに変更する構成としても良く、このような構成とすることで、ＲＴ（１）の継続ゲーム数が同じであっても、ＲＴ（２）やＲＴ（０）への移行を回避した回数に応じて有利度が変化するため、ＲＴ（１）におけるリプレイＧＲ（１）〜（６）や小役ＧＲ（１）〜（９）の引き次第で、ナビ権利抽選３による有利度を変化させることができる。
【０２５９】
また、本実施例では、ナビ権利２が当選することで、３０Ｇまで小役ナビが行われ、小役ナビに従って停止操作を行うことによりＲＴ（１）をナビ権利抽選３によるナビ権利３の当選個数の平均値が高くなる３０Ｇ以上持続させることができる構成であるが、ナビ権利抽選３によるナビ権利３の当選個数の平均値が高くなるゲーム数よりも少ないゲーム数だけ小役ナビを行う構成としても良く、このような構成とすることで、ナビ権利２による小役ナビの終了後は、自力で移行出目（１）（２）を回避可能な停止態様を予測し、その結果移行出目（１）（２）を回避してゲーム数を延ばすことにより、ナビ権利３の当選個数の平均値が高いナビ権利抽選３の抽選を受けることが可能となるため、小役ナビ終了後、緊張感を持ってゲームを行えるうえに、ナビ権利抽選３によるナビ権利３の当選個数の平均値が高くなるゲーム数に到達した際の達成感も高められる。
【０２６０】
また、本実施例では、決められたゲーム数（３０Ｇ）に到達するまでは、小役ＧＲ（１）〜（９）のいずれかが当選した場合に、それまでの小役ナビの実行回数に関わりなく小役ナビが実行される構成であるが、ナビ権利２の当選により規定回数だけ、小役ナビが実行される権利を付与し、ＲＴ（１）に移行後、小役ＧＲ（１）〜（９）のいずれかが規定回数当選するまで小役ナビが実行される構成としたり、ナビ権利抽選２で複数のナビ権利２が当選可能な構成とし、ＲＴ（１）に移行後、小役ＧＲ（１）〜（９）のいずれかが当選する毎にナビ権利２を１つ消費して小役ナビを行い、ナビ権利２が０となるまで小役ナビが行われる構成としたりしても良く、このような構成とすることで、同じ回数の小役ナビが実行される権利が付与されている状況であっても、ＲＴ（１）における小役ＧＲ（１）〜（９）の引き次第で、ＲＴ（１）のゲーム数、すなわちナビ権利抽選３による有利度を変化させることができる。
【０２６１】
また、本実施例では、ＢＢ中とその後移行するＲＴ（１）の双方の状態においてナビ権利３の抽選を行うようになっており、ＢＢから連続する２つの遊技状態において継続的に、その後移行するＲＴ（０）が長期間にわたり継続することへの期待感を高めることができる。
【０２６２】
また、ＢＢ中においてナビ権利３が当選する場合、すなわちＢＢ中のリプレイ（２）単独当選時、ＢＢ中のリプレイＧＲ（７）当選時、ＢＢ中ハズレ時のいずれにおいてもナビ権利１、２の双方が当選するようになっているため、これらＢＢ中においてナビ権利３が当選する場合には、ＢＢ終了後のＲＴ（１）も極力多くのゲーム数維持することが可能となるため、ＢＢ中に当選したナビ権利３だけでなく、ＢＢ終了後のＲＴ（１）においてもさらにナビ権利３の上乗せ、すなわちさらに長期間にわたりＲＴ（０）が継続することへの期待感を高めることができる。
【０２６３】
また、本実施例では、ＲＴ（１）からＲＴ（０）への移行契機となる移行出目（１）（２）が、ＲＴ（０）（１）において小役ナビによる報知の対象となる小役ＧＲ（１）〜（９）が当選し、かつ当選した小役を入賞させることができなかった場合に停止する停止態様であるため、役の種類を増やすことなく、ＲＴ（０）（１）の有利度を高めるための役と、ＲＴ（１）からＲＴ（０）への移行契機となる移行出目（１）（２）と、を設けることができる。
【０２６４】
また、ＲＴ（１）において小役ＧＲ（１）〜（９）が当選し、かつ当選した小役を入賞させることができなかった場合に停止する移行出目（１）（２）の停止を契機にＲＴ（０）へ移行するので、小役を取りこぼしてメダルを獲得できなかった場合であっても、遊技者にとって有利なＲＴ（０）へ移行するので、小役を取りこぼしたことに伴う損失感を軽減できる。
【０２６５】
また、本実施例では、前述のようにＢＢの終了後、直ちにＲＴ（０）へ移行するのではなく、まずＲＴ（１）に移行し、ＲＴ（１）において移行出目（１）または移行出目（２）が入賞ラインに停止することでＲＴ（０）へ移行するとともに、ＲＴ（１）においてＲＴ（０）へ移行する前にリプレイ（３）〜（８）の入賞した場合にＲＴ（２）へ移行するようになっており、ナビ権利１が付与されている場合には、ＲＴ（１）においてリプレイＧＲ（１）〜（６）が当選したときにリプレイナビを実行し、リプレイ（３）〜（８）の入賞を回避可能とする一方、ナビ権利１が付与されていない場合には、ＲＴ（１）においてリプレイＧＲ（１）〜（６）が当選してもリプレイナビが実行されず、リプレイ（３）〜（８）の入賞を確実に回避することのできないので、ナビ権利１が付与されていない場合には、ＢＢの終了後、ＲＴ（１）からＲＴ（０）へ移行することなくＲＴ（２）へ移行することが多く、偶然によりＲＴ（０）へ移行する可能性は低くなり、ナビ権利１が付与されているか否かによって、遊技者の利益に明確な差を出すことができる。
【０２６６】
さらに、ＲＴ（１）でのリプレイ（３）〜（８）の入賞確率（リプレイＧＲ（１）〜（６）の当選確率×リプレイ（３）〜（８）の停止確率）が移行出目（１）（２）の停止確率（小役ＧＲ（１）〜（９）の当選確率×移行出目（１）（２）の停止確率）よりも高くなるようにリプレイＧＲ（１）〜（６）の当選確率を定めることにより、ナビ権利１が付与されていない場合に、ＢＢ終了後、ＲＴ（１）においてＲＴ（０）へ移行するよりも前にＲＴ（２）へ移行する割合が高く、偶然によりＲＴ（０）へ移行してしまう可能性が一層低くできる。
【０２６７】
尚、本実施例では、ＲＴ（１）でリプレイ（３）〜（８）のいずれかが入賞することで、ＲＴ（０）へ移行することなくＲＴ（２）へ移行する構成であるが、ＲＴ（１）からＲＴ（２）へは移行することなく、ＲＴ（１）からＲＴ（２）へ移行する場合には、ＲＴ（０）を介して移行する構成としても良い。
【０２６８】
以上、本発明の実施例を図面により説明してきたが、本発明はこの実施例に限定されるものではなく、本発明の主旨を逸脱しない範囲における変更や追加があっても本発明に含まれることは言うまでもない。
【０２６９】
例えば、前記実施例では、第１遊技状態としてＢＢを適用し、不利遊技状態としてＲＴ（２）を適用しているが、例えば、ＲＴ（２）においてＲＴ（２）の終了役が停止した場合に、ＲＴ（１）へ移行する構成とするなど、第１の遊技状態、不利遊技状態としてともにＲＴ（２）を適用しても良い。
【０２７０】
また、ＲＴ（１）よりも遊技者にとって有利な有利遊技状態として、ＲＴ（１）よりも１ゲームあたりのメダルの払出率の高いＲＴ（０）を適用しているが、例えば、ＲＴ（１）と１ゲームあたりのメダルの払出率は変わらないものの、ＲＴ（１）よりもさらに有利な遊技状態へ移行する可能性のある遊技状態をＲＴ（１）よりも遊技者にとって有利な有利遊技状態として適用しても良い。
【０２７１】
前記実施例では、第１の有利度決定手段が決定する有利度としてＲＴ（１）において小役ＧＲ（１）〜（９）に当選した場合にＲＴ（０）への移行を回避し、かつメダルの払出を確実に受けることのできる停止順が報知される小役ナビを実行する権利であるナビ権利２を適用しているが、ＲＴ（０）への移行を回避する操作態様が報知される確率、ＲＴ（１）を継続させるか否かの継続率などでも良いし、これら双方の要素を複合的に適用しても良い。
【０２７２】
前記実施例では、第２の有利度決定手段が決定する有利度としてＲＴ（０）においてリプレイＧＲ（１）〜（６）が当選した場合にＲＴ（２）への移行を回避する停止順が報知され、小役ＧＲ（１）〜（９）に当選した場合にメダルの払出を確実に受けることのできる停止順が報知される小役ナビを実行する権利であるナビ権利３を適用しているが、リプレイナビや小役ナビのように遊技者にとって有利な操作態様が報知される確率、遊技者にとって有利な状況（リプレイナビや小役ナビが実行される状況など）を継続させるか否かを決定する場合の継続率などでも良いし、特定の条件が成立せずに経過したゲーム数が規定ゲーム数に到達した場合に遊技者にとって有利な状況（リプレイナビや小役ナビが実行される状況など）に移行させる場合などのように遊技者にとって有利な状況に制御される条件が設定されている場合には、その条件の難易度を適用しても良いし、これらの要素のうちの複数の要素を複合的に適用しても良い。
【０２７３】
前記実施例では、リプレイＧＲの種類、すなわち同時当選する再遊技役の違いに応じて有利度の高い再遊技役（ＲＴ（１）への移行を回避し、ＲＴ（２）へ移行させる再遊技役）を入賞させるリールの停止順が異なる構成であり、リプレイＧＲの種類に応じて有利度の高い再遊技役を入賞させることが可能なリールの停止順を報知するリプレイナビを実行する構成であるが、リプレイＧＲの種類に応じて有利度の高い再遊技役を入賞させることが可能となる停止操作のタイミングが異なる構成としリプレイＧＲの種類に応じて有利度の高い再遊技役を入賞させることが可能な停止操作タイミングまたはそれを特定可能な情報を報知する構成としても良い。
【０２７４】
前記実施例では、小役ＧＲの種類、すなわち同時当選する小役の違いに応じて払出期待値の高いリールの停止順が異なる構成であり、小役ＧＲの種類に応じて払出期待値の高いリールの停止順を報知するリプレイナビを実行する構成であるが、リプレイＧＲまたは小役の種類に応じて払出期待値の高い停止操作のタイミングが異なる構成とし小役ＧＲの種類または小役の種類に応じて払出期待値の高い停止操作タイミングまたはそれを特定可能な情報を報知する構成としても良い。
【符号の説明】
【０２７５】
１  スロットマシン
２Ｌ、２Ｃ、２Ｒ  リール
７  スタートスイッチ
８Ｌ、８Ｃ、８Ｒ  ストップスイッチ
４１  メイン制御部
４１ａ  メインＣＰＵ
９１  サブ制御部
９１ａ  サブＣＰＵ
【図１】
0005996741.tif 000002
【図２】
0005996741.tif 000003
【図３】
0005996741.tif 000004
【図４】
0005996741.tif 000005
【図５】
0005996741.tif 000006
【図６】
0005996741.tif 000007
【図７】
0005996741.tif 000008
【図８】
0005996741.tif 000009
【図９】
0005996741.tif 000010
【図１０】
0005996741.tif 000011
【図１１】
0005996741.tif 000012
【図１２】
0005996741.tif 000013
【図１３】
0005996741.tif 000014
【図１４】
0005996741.tif 000015
【図１５】
0005996741.tif 000016
【図１６】
0005996741.tif 000017